(57)【要約】【課題】情報要求者がＵＲＬや電話番号等といった情報取得先を特定するための情報を知らなくても簡便かつ自由に情報を取得することができるようにする。【解決手段】  提供する情報を記憶する情報ＤＢ２７と、情報端末装置１から無線送信された信号を受信する指向性を有する赤外受信部２４と、赤外受信部２４により受信された信号から情報を抽出するコマンド分析部２５と、少なくとも、情報ＤＢ２７に記憶されている所定の情報を含む信号を情報管理装置１宛に送信し、情報管理装置１から送信された信号を受信する要求コマンド処理部２８と、少なくとも、コマンド分析部２５により抽出された要求情報に対する要求結果情報を含む信号を、情報端末装置１宛に送信する電波送信部２９と、を有するように情報提供装置を構成する。【選択図】図２
2006099593.tif 000002
【特許請求の範囲】
【請求項１】
提供する情報を記憶する情報データベースと、
情報端末装置から無線送信された信号を受信する指向性を有する第１の受信手段と、
前記第１の受信手段により受信された信号から情報を抽出する抽出手段と、
少なくとも、前記情報データベースに記憶されている所定の情報を含む信号を、情報管理装置宛に送信する第１の送信手段と、
前記情報管理装置から送信された信号を受信する第２の受信手段と、
少なくとも、前記抽出手段により抽出された要求情報に対する要求結果情報を含む信号を、前記情報端末装置宛に送信する第２の送信手段と、
を有することを特徴とする情報提供装置。
【請求項２】
前記抽出手段により、ストック要求に係る要求情報とユーザー情報又は端末情報とが抽出された場合には、前記第１の送信手段は、前記情報データベースに記憶されている所定の情報を前記ユーザー情報又は前記端末情報に関連付けて記憶させるための要求信号を、前記情報管理装置宛に送信し、
前記抽出手段により、出力要求に係る要求情報と前記ユーザー情報又は前記端末情報とが抽出された場合には、前記第１の送信手段は、前記情報管理装置に記憶されている、前記ユーザー情報又は前記端末情報に関連付けされている情報を出力させるための要求信号を、前記情報管理装置宛に送信し、
前記抽出手段により、ストック情報要求に係る要求情報と前記ユーザー情報又は前記端末情報とが抽出された場合には、前記第１の送信手段は、前記情報管理装置に記憶されている、前記ユーザー情報又は前記端末情報に関連付けされている情報のインデックス情報であるストック情報を取得するための要求信号、前記情報管理装置に記憶されている、前記ユーザー情報又は前記端末情報に関連付けされている情報の中の特定の情報を削除させ該削除後のインデックス情報であるストック情報を取得するための要求信号、又は、前記情報管理装置に記憶されている、前記ユーザー情報又は前記端末情報に関連付けされている情報を整理させ該整理後のインデックス情報であるストック情報を取得するための要求信号を、前記情報管理装置宛に送信し、更に、前記第２の送信手段は、前記第２の受信手段が受信した信号に含まれる前記ストック情報を含む信号を、前記情報端末装置宛に送信する、
ことを特徴とする請求項１記載の情報提供装置。
【請求項３】
前記抽出手段により、編集要求に係る要求情報と前記ユーザー情報又は前記端末情報とが抽出された場合には、前記第１の送信手段は、前記情報管理装置に記憶されている、前記ユーザー情報又は前記端末情報に関連付けされている情報を少なくとも削除或いは整理させるための要求信号を、前記情報管理装置宛に送信する、
ことを特徴とする請求項１記載の情報提供装置。
【請求項４】
前記情報端末装置から無線送信された信号を受信する第３の受信手段、
を更に有し、
前記抽出手段により、前記ストック要求又は前記出力要求に係る要求情報が抽出された場合には、前記第３の受信手段は、前記第２の送信手段が前記情報端末装置宛に送信した追加情報要求信号に応じて前記情報端末装置から無線送信された追加情報を含む信号を受信し、前記第１の送信手段は、前記第３の受信手段により受信された前記追加情報を含む前記要求信号を、前記情報管理装置宛に送信する、
ことを特徴とする請求項２記載の情報提供装置。
【請求項５】
前記出力要求は、前記ユーザー情報又は前記端末情報に関連付けされて前記情報管理装置に記憶されている情報を、所望の送信先宛へ出力する要求、印刷媒体として出力する要求、又は記録媒体へ出力する要求、の少なくとも何れかである、
ことを特徴とする請求項２又は４記載の情報提供装置。
【請求項６】
前記出力要求に係る要求情報は、前記ユーザー情報又は前記端末情報に関連付けされて前記情報管理装置に記憶されている情報の中から選択された出力対象とする情報を特定するための選択情報を含む、
ことを特徴とする請求項５記載の情報提供装置。
【請求項７】
前記削除は、前記情報管理装置に記憶されている、前記ユーザー情報又は前記端末情報に関連付けされている情報の一部又は全部の削除であり、
前記整理は、前記情報管理装置に記憶されている、前記ユーザー情報又は前記端末情報に関連付けされている情報の一部又は全部の、並べ替え、グループ化、又はグループ化の解除である、
ことを特徴とする請求項２乃至６の何れか一項記載の情報提供装置。
【請求項８】
前記第１の送信手段は、前記ユーザー情報又は前記端末情報を含む前記要求信号を前記情報管理装置宛に送信する、
ことを特徴とする請求項２乃至７の何れか一項記載の情報提供装置。
【請求項９】
前記抽出手段により抽出された前記ユーザー情報又は前記端末情報を基にサービ提供レベルを判定する判定手段、
を更に有し、
前記第２の送信手段は、前記判定手段による判定結果に応じた提供可能なサービスを識別するためのサービス識別情報を含む信号を、前記情報端末装置宛に送信する、
ことを特徴とする請求項２乃至８の何れか一項記載の情報提供装置。
【請求項１０】
前記提供可能なサービスは、ストックサービス、追加情報のストックサービス、記憶されている情報の削除サービス、記憶されている情報の整理サービス、記憶されている情報の送信サービス、記憶されている情報の印刷サービス、及び記憶されている情報の記録媒体への記録サービス、の少なくとも一つ又は複数である、
ことを特徴とする請求項９記載の情報提供装置。
【請求項１１】
会員管理装置宛に信号を送信する第３の送信手段と、
会員管理装置から送信された信号を受信する第４の受信手段と、
を更に有し、
前記第３の送信手段は、前記抽出手段により抽出された会員識別情報を含む信号を、前記会員管理装置宛に送信し、
前記第２の送信手段は、前記第４の受信手段により受信された信号に含まれる送信先情報を含む前記要求信号を、前記情報管理装置宛に送信する、
ことを特徴とする請求項２及び４乃至１０の何れか一項記載の情報提供装置。
【請求項１２】
前記第１の送信手段は、前記抽出手段により抽出された決済用情報を含む前記要求信号を、前記情報管理装置宛に送信する、
ことを特徴とする請求項２及び４乃至１１の何れか一項記載の情報提供装置。
【請求項１３】
請求項１乃至１２の何れか一項に記載の情報提供装置から送信された信号を受信する受信手段と、
前記受信手段により受信された信号に、ストック要求に係る要求情報と、前記情報提供装置の情報データベースに記憶されていた情報と、ユーザー情報又は端末情報とが含まれていた場合に、前記情報端末装置の情報データベースに記憶されていた情報を、前記ユーザー情報又は前記端末情報と関連付けて記憶するストック手段と、
信号を送信する第１の送信手段と、
を有し、
前記受信手段により受信された信号に、送信の出力要求に係る要求情報と、送信先情報と、前記ユーザー情報又は前記端末情報とが含まれていた場合、前記第１の送信手段は、前記ストック手段に記憶されている、前記ユーザー情報又は前記端末情報に関連付けされている情報を、前記送信先情報に係る送信先宛に送信する、
ことを特徴とする情報管理装置。
【請求項１４】
前記情報提供装置宛に信号を送信する第２の送信手段と、
前記ストック手段に記憶されている特定の情報のインデックス情報であるストック情報を生成するストック情報生成手段と、
を更に有し、
前記受信手段により受信された信号に、ストック要求に係る要求情報と、前記ユーザー情報又は前記端末情報とが含まれていた場合、前記ストック情報生成手段は、前記ストック手段に記憶されている、前記ユーザー情報又は前記端末情報に関連付けされている情報のインデックス情報であるストック情報を生成し、前記第２の送信手段は、前記ストック情報生成手段により生成されたストック情報を、前記情報提供装置宛に送信する、
ことを特徴とする請求項１３記載の情報管理装置。
【請求項１５】
前記ストック手段に記憶されている情報を印刷する印刷手段と、
前記ストック手段に記憶されている情報を記録媒体に書き込むメディア書込み手段と、
を更に有し、
前記受信手段により受信された信号に、印刷の出力要求に係る要求情報と、前記ユーザー情報又は前記端末情報とが含まれていた場合、前記印刷手段は、前記ストック手段に記憶されている、前記ユーザー情報又は前記端末情報に関連付けされている情報を印刷し、
前記受信手段により受信された信号に、記録の出力要求に係る要求情報と、前記ユーザー情報又は前記端末情報とが含まれていた場合、前記記録手段は、前記ストック手段に記憶されている、前記ユーザー情報又は前記端末情報に関連付けされている情報を前記記録媒体に書き込む、
ことを特徴とする請求項１３又は１４記載の情報管理装置。
【請求項１６】
前記受信手段により受信された信号に、出力要求に係る要求情報が含まれていた場合に、該出力要求に係る要求情報に基づいて、前記ストック手段に記憶されている、前記ユーザー情報又は前記端末情報に関連付けされている情報の出力方法を決定する出力決定手段、
を更に有する、
ことを特徴とする請求項１５記載の情報管理装置。
【請求項１７】
前記ストック手段は、
当該ストック手段に記憶されている特定の情報を削除する削除手段と、
当該ストック手段に記憶されている特定の情報をグループ化するグループ化手段と、
前記グループ化手段によりグループ化された情報のグループ化を解除するグループ化解除手段と、
当該ストック手段に記憶されている特定の複数の情報の順序を所定の基準に従って並べ替えるソート手段と、
を更に有し、
前記受信手段により受信された信号に、削除要求に係る要求情報と、前記ユーザー情報又は前記端末情報と、選択された削除対象とする情報を特定するための選択情報とが含まれていた場合、前記削除手段は、当該ストック手段に記憶されている、前記ユーザー情報又は前記端末情報に関連付けされている情報であって、前記選択情報によって特定される情報を削除し、
前記受信手段により受信された信号に、グループ化要求に係る要求情報と、前記ユーザー情報又は前記端末情報と、選択されたグループ化対象とする情報を特定するための選択情報とが含まれていた場合、前記グループ化手段は、当該ストック手段に記憶されている、前記ユーザー情報又は前記端末情報に関連付けされている情報であって、前記選択情報によって特定される情報をグループ化し、
前記受信手段により受信された信号に、グループ化解除要求に係る要求情報と、前記ユーザー情報又は前記端末情報と、選択されたグループ化解除対象となるグループを特定するための選択情報とが含まれていた場合、前記グループ化解除手段は、当該ストック手段に記憶されている、前記ユーザー情報又は前記端末情報に関連付けされている情報であって、前記選択情報によって特定されるグループのグループ化を解除し、
前記受信手段により受信された信号に、ソート要求に係る要求情報と、前記ユーザー情報又は前記端末情報と、選択されたソート対象となる情報を特定するための情報と選択されたソート基準に係る情報からなる選択情報とが含まれていた場合、前記ソート手段は、当該ストック手段に記憶されている、前記ユーザー情報又は前記端末情報に関連付けされている情報であって、前記選択情報によって特定される情報を、前記選択情報によって特定されるソート基準に従ってソートする、
ことを特徴とする請求項１３記載の情報管理装置。
【請求項１８】
要求信号を生成する生成手段と、
前記生成手段により生成された要求信号を送信する指向性を有する第１の送信手段と、
請求項１乃至１２の何れか一項に記載の情報提供装置から送信された信号を受信する受信手段と、
当該情報端末装置の自己アドレスを記憶する記憶手段と、
を有することを特徴とする情報端末装置。
【請求項１９】
前記要求信号は、
情報を記憶させるためのストック要求に係る要求信号、記憶された情報の一部または全部を何れかの方法で出力させるための出力要求に係る要求信号、記憶された情報のインデックス情報であるストック情報を取得するためのストック情報要求に係る要求信号、記憶された情報の一部または全部を所望の送信先宛に送信させるための送信出力要求に係る要求信号、記憶された情報の一部または全部を印刷させるための印刷出力要求に係る要求信号、記憶された情報の一部または全部を記録媒体に記録させるための記録出力要求に係る要求信号、記憶された情報の一部または全部を削除させるための削除要求に係る要求信号、記憶された情報の一部または全部を所望の基準で並べ替えさせるためのソート要求に係る要求信号、記憶された情報の一部または全部をグループ化させるためのグループ化要求に係る要求信号、及び、グループ化要求によりグループ化された情報のグループ化を解除するグループ化解除要求に係る要求信号、の何れかである、
ことを特徴とする請求項１８記載の情報端末装置。
【請求項２０】
画像を撮影する画像撮影手段と、
前記画像撮影手段により撮影された画像を記憶する画像記憶手段と、
前記画像記憶手段に記憶されている画像を、前記情報提供装置宛に送信する第２の送信手段と、
を更に有し、
前記受信手段により受信された信号が、前記情報提供装置からの追加情報要求信号であった場合、前記第２送信手段は、前記画像記憶手段に記憶されている画像を、前記情報提供装置宛に送信する、
ことを特徴とする請求項１８又は１９記載の情報端末装置。
【請求項２１】
ユーザー情報又は当該情報端末装置の端末情報を記憶する情報記憶手段、
を更に有し、
前記生成手段は、前記情報記憶手段に記憶されている前記ユーザー情報又は前記端末情報を含む要求信号を生成する、
ことを特徴とする請求項１８乃至２０の何れか一項記載の情報端末装置。
【請求項２２】
会員を識別するための会員識別情報を記憶する会員識別情報記憶手段と、
決済方法や決済を行うための情報である決済用情報を記憶する決済用情報記憶手段と、
を更に有する、
ことを特徴とする請求項２１記載の情報端末装置。
【請求項２３】
請求項１乃至１２の何れか一項記載の情報提供装置と、
請求項１３乃至１７の何れか一項記載の情報管理装置と、
請求項１８乃至２２の何れか一項記載の情報端末装置と、
を有する、
ことを特徴とする情報提供システム。
【発明の詳細な説明】
【技術分野】
【０００１】
本発明は、情報を提供する装置、情報を管理する装置、情報を取得するための情報端末装置、及びそれらを含む情報提供システムに関する。
【背景技術】
【０００２】
従来、情報を収集する装置として、ラジオやテレビ等の放送を受信するものと、電話器やＦＡＸなど特定の情報源に直接アクセスするものが使われていた。
近年、インターネットの普及に伴い、テキスト、音声、画像等のデジタル情報をＰＣ（パーソナルコンピュータ）を使って全世界から取得できるようになった。インターネットで情報を取得するためには、情報のあるウェブサイトのＵＲＬ（ Uniform Resource Locator ）を指定すれば良い。
【０００３】
通信メディアを使わずに情報を収集する方法としては、展示会やセミナー等の催し物会場への参加が一般的である。これらの催し物会場では、カタログや資料などが、一般的に印刷物として情報が提供されている。
【０００４】
一方、特許文献１には、催し物会場において、来場者毎に情報携帯端末機を設け、来場者がその情報携帯端末機を用いて情報を取得するようにしたシステムが提案されている。
【特許文献１】特開２０００−１１５８４５号公報
【発明の開示】
【発明が解決しようとする課題】
【０００５】
ところで、インターネットや電話網等の通信ネットワークを介した情報収集では、目的の情報が提供されているウェブサイトのＵＲＬや電話番号等を予め知っておく必要があり、これらを知ることは手間の掛かることである。
【０００６】
また、展示会やセミナー等の催し物会場での情報収集では、来場者数が多い場合には大量に資料類を準備する必要があり、無料の情報提供では、出展者にとって大きな経済的負担となっていた。また、来場者は多くの出展者からそれぞれ紙の資料を収集するため、その重量は馬鹿にならず、やむなく一部を捨ててしまうということも多かった。また、収集した資料はファイリング保管されるため、そのための保管スペースが必要であるし、それを避けるために電子化するにもスキャナーでの読み込みなど多くの手間と時間を掛ける必要があった。
【０００７】
また、特許文献１に提案されているシステムでは、催し物会場の主催者が情報携帯端末機を来場者に提供することになっており、主催者が情報携帯端末機を全て管理することができ、来場者がＵＲＬや電話番号等の情報源にアクセスするためのアドレスを知る必要は無いものの、このシステムは、主催者が来場者を完全に把握できる場合しか利用できない。
【０００８】
本発明は、上記実情に鑑み、情報要求者がＵＲＬや電話番号等といった情報取得先を特定するための情報を知らなくても簡便かつ自由に情報を取得することができるようにし、また特別な管理を要しないようにし、また至近距離にいる不特定の１人以上の情報要求者に対しての情報提供を可能にする装置及びシステムを提供することを目的とする。
【課題を解決するための手段】
【０００９】
上記目的を達成するため、本発明の第１の態様に係る情報提供装置は、提供する情報を記憶する情報データベースと、情報端末装置から無線送信された信号を受信する指向性を有する第１の受信手段と、前記第１の受信手段により受信された信号から情報を抽出する抽出手段と、少なくとも、前記情報データベースに記憶されている所定の情報を含む信号を、情報管理装置宛に送信する第１の送信手段と、前記情報管理装置から送信された信号を受信する第２の受信手段と、少なくとも、前記抽出手段により抽出された要求情報に対する要求結果情報を含む信号を、前記情報端末装置宛に送信する第２の送信手段と、を有する構成である。
【００１０】
本構成によれば、情報データベースにより提供する情報が記憶され、第１の受信手段により前記情報端末装置から無線送信された信号が受信され、抽出手段により前記第１の受信手段により受信された信号から情報が抽出され、第１の送信手段により少なくとも前記情報データベースに記憶されている所定の情報を含む信号が前記情報管理装置宛に送信され、第２の受信手段により前記情報管理装置から送信された信号が受信され、第２の送信手段により少なくとも前記抽出手段により抽出された要求情報に対する要求結果情報を含む信号が前記情報端末装置宛に送信される。
【００１１】
本発明の第２の態様に係る情報提供装置は、前記第１の態様において、前記抽出手段により、ストック要求に係る要求情報とユーザー情報又は端末情報とが抽出された場合には、前記第１の送信手段は、前記情報データベースに記憶されている所定の情報を前記ユーザー情報又は前記端末情報に関連付けて記憶させるための要求信号を、前記情報管理装置宛に送信し、前記抽出手段により、出力要求に係る要求情報と前記ユーザー情報又は前記端末情報とが抽出された場合には、前記第１の送信手段は、前記情報管理装置に記憶されている、前記ユーザー情報又は前記端末情報に関連付けされている情報を出力させるための要求信号を、前記情報管理装置宛に送信し、前記抽出手段により、ストック情報要求に係る要求情報と前記ユーザー情報又は前記端末情報とが抽出された場合には、前記第１の送信手段は、前記情報管理装置に記憶されている、前記ユーザー情報又は前記端末情報に関連付けされている情報のインデックス情報であるストック情報を取得するための要求信号、前記情報管理装置に記憶されている、前記ユーザー情報又は前記端末情報に関連付けされている情報の中の特定の情報を削除させ該削除後のインデックス情報であるストック情報を取得するための要求信号、又は、前記情報管理装置に記憶されている、前記ユーザー情報又は前記端末情報に関連付けされている情報を整理させ該整理後のインデックス情報であるストック情報を取得するための要求信号を、前記情報管理装置宛に送信し、更に、前記第２の送信手段は、前記第２の受信手段が受信した信号に含まれる前記ストック情報を含む信号を、前記情報端末装置宛に送信する、構成である。
【００１２】
本構成によれば、前記抽出手段によりストック要求に係る要求情報とユーザー情報又は端末情報とが抽出された場合には、前記第１の送信手段により、前記情報データベースに記憶されている所定の情報を前記ユーザー情報又は前記端末情報に関連付けて記憶させるための要求信号が、前記情報管理装置宛に送信され、前記抽出手段により出力要求に係る要求情報と前記ユーザー情報又は前記端末情報とが抽出された場合には、前記第１の送信手段により、前記情報管理装置に記憶されている、前記ユーザー情報又は前記端末情報に関連付けされている情報を出力させるための要求信号が、前記情報管理装置宛に送信され、前記抽出手段によりストック情報要求に係る要求情報と前記ユーザー情報又は前記端末情報とが抽出された場合には、前記第１の送信手段により、前記情報管理装置に記憶されている、前記ユーザー情報又は前記端末情報に関連付けされている情報のインデックス情報であるストック情報を取得するための要求信号、前記情報管理装置に記憶されている、前記ユーザー情報又は前記端末情報に関連付けされている情報の中の特定の情報を削除させ該削除後のインデックス情報であるストック情報を取得するための要求信号、又は、前記情報管理装置に記憶されている、前記ユーザー情報又は前記端末情報に関連付けされている情報を整理させ該整理後のインデックス情報であるストック情報を取得するための要求信号が、前記情報管理装置宛に送信され、更に、前記第２の送信手段により、前記第２の受信手段が受信した信号に含まれる前記ストック情報を含む信号が、前記情報端末装置宛に送信される。
【００１３】
本発明の第３の態様に係る情報提供装置は、前記第１の態様において、前記抽出手段により、編集要求に係る要求情報と前記ユーザー情報又は前記端末情報とが抽出された場合には、前記第１の送信手段は、前記情報管理装置に記憶されている、前記ユーザー情報又は前記端末情報に関連付けされている情報を少なくとも削除或いは整理させるための要求信号を、前記情報管理装置宛に送信する、構成である。
【００１４】
本構成によれば、前記抽出手段により編集要求に係る要求情報と前記ユーザー情報又は前記端末情報とが抽出された場合には、前記第１の送信手段により、前記情報管理装置に記憶されている、前記ユーザー情報又は前記端末情報に関連付けされている情報を少なくとも削除或いは整理させるための要求信号が、前記情報管理装置宛に送信される。
【００１５】
本発明の第４の態様に係る情報提供装置は、前記第２の態様において、前記情報端末装置から無線送信された信号を受信する第３の受信手段、を更に有し、前記抽出手段により、前記ストック要求又は前記出力要求に係る要求情報が抽出された場合には、前記第３の受信手段は、前記第２の送信手段が前記情報端末装置宛に送信した追加情報要求信号に応じて前記情報端末装置から無線送信された追加情報を含む信号を受信し、前記第１の送信手段は、前記第３の受信手段により受信された前記追加情報を含む前記要求信号を、前記情報管理装置宛に送信する、構成である。
【００１６】
本構成によれば、更に、第３の受信手段により、前記情報端末装置から無線送信された信号が受信され、そして、前記抽出手段により前記ストック要求又は前記出力要求に係る要求情報が抽出された場合には、前記第３の受信手段により、前記第２の送信手段が前記情報端末装置宛に送信した追加情報要求信号に応じて前記情報端末装置から無線送信された追加情報を含む信号が受信され、前記第１の送信手段により、前記第３の受信手段により受信された前記追加情報を含む前記要求信号が、前記情報管理装置宛に送信される。
【００１７】
本発明の第５の態様に係る情報提供装置は、前記第２又は４の態様において、前記出力要求は、前記ユーザー情報又は前記端末情報に関連付けされて前記情報管理装置に記憶されている情報を、所望の送信先宛へ出力する要求、印刷媒体として出力する要求、又は記録媒体へ出力する要求、の少なくとも何れかである、構成である。
【００１８】
本構成によれば、前記出力要求は、前記ユーザー情報又は前記端末情報に関連付けされて前記情報管理装置に記憶されている情報を、所望の送信先宛へ出力する要求、印刷媒体として出力する要求、又は記録媒体へ出力する要求、の少なくとも何れかとなる。
【００１９】
本発明の第６の態様に係る情報提供装置は、前記第５の態様において、前記出力要求に係る要求情報は、前記ユーザー情報又は前記端末情報に関連付けされて前記情報管理装置に記憶されている情報の中から選択された出力対象とする情報を特定するための選択情報を含む、構成である。
【００２０】
本構成によれば、前記出力要求に係る要求情報には、前記ユーザー情報又は前記端末情報に関連付けされて前記情報管理装置に記憶されている情報の中から選択された出力対象とする情報を特定するための選択情報が含まれる。
【００２１】
本発明の第７の態様に係る情報提供装置は、前記第２乃至６の何れか一つの態様において、前記削除は、前記情報管理装置に記憶されている、前記ユーザー情報又は前記端末情報に関連付けされている情報の一部又は全部の削除であり、前記整理は、前記情報管理装置に記憶されている、前記ユーザー情報又は前記端末情報に関連付けされている情報の一部又は全部の、並べ替え、グループ化、又はグループ化の解除である、構成である。
【００２２】
本構成によれば、前記削除は、前記情報管理装置に記憶されている、前記ユーザー情報又は前記端末情報に関連付けされている情報の一部又は全部の削除となり、前記整理は、前記情報管理装置に記憶されている、前記ユーザー情報又は前記端末情報に関連付けされている情報の一部又は全部の、並べ替え、グループ化、又はグループ化の解除となる。
【００２３】
本発明の第８の態様に係る情報提供装置は、前記第２乃至７の何れか一つの態様において、前記第１の送信手段は、前記ユーザー情報又は前記端末情報を含む前記要求信号を前記情報管理装置宛に送信する、構成である。
【００２４】
本構成によれば、前記第１の送信手段により、前記ユーザー情報又は前記端末情報を含む前記要求信号が前記情報管理装置宛に送信される。
本発明の第９の態様に係る情報提供装置は、前記第２乃至８の何れか一つの態様において、前記抽出手段により抽出された前記ユーザー情報又は前記端末情報を基にサービ提供レベルを判定する判定手段、を更に有し、前記第２の送信手段は、前記判定手段による判定結果に応じた提供可能なサービスを識別するためのサービス識別情報を含む信号を、前記情報端末装置宛に送信する、構成である。
【００２５】
本構成によれば、更に、判定手段により、前記抽出手段により抽出された前記ユーザー情報又は前記端末情報を基にサービ提供レベルが判定され、そして、前記第２の送信手段により、前記判定手段による判定結果に応じた提供可能なサービスを識別するためのサービス識別情報を含む信号が、前記情報端末装置宛に送信される。
【００２６】
本発明の第１０の態様に係る情報提供装置は、前記第９の態様において、前記提供可能なサービスは、ストックサービス、追加情報のストックサービス、記憶されている情報の削除サービス、記憶されている情報の整理サービス、記憶されている情報の送信サービス、記憶されている情報の印刷サービス、及び記憶されている情報の記録媒体への記録サービス、の少なくとも一つ又は複数である、構成である。
【００２７】
本構成によれば、前記提供可能なサービスは、ストックサービス、追加情報のストックサービス、記憶されている情報の削除サービス、記憶されている情報の整理サービス、記憶されている情報の送信サービス、記憶されている情報の印刷サービス、及び記憶されている情報の記録媒体への記録サービス、の少なくとも一つ又は複数となる。
【００２８】
本発明の第１１の態様に係る情報提供装置は、前記第２及び４乃至１０の何れか一つの態様において、会員管理装置宛に信号を送信する第３の送信手段と、会員管理装置から送信された信号を受信する第４の受信手段と、を更に有し、前記第３の送信手段は、前記抽出手段により抽出された会員識別情報を含む信号を、前記会員管理装置宛に送信し、前記第２の送信手段は、前記第４の受信手段により受信された信号に含まれる送信先情報を含む前記要求信号を、前記情報管理装置宛に送信する、構成である。
【００２９】
本構成によれば、更に、第３の送信手段により会員管理装置宛に信号が送信され、第４の受信手段により会員管理装置から送信された信号が受信され、そして、前記第３の送信手段により、前記抽出手段により抽出された会員識別情報を含む信号が、前記会員管理装置宛に送信され、前記第２の送信手段により、前記第４の受信手段により受信された信号に含まれる送信先情報を含む前記要求信号が、前記情報管理装置宛に送信される。
【００３０】
本発明の第１２の態様に係る情報提供装置は、前記第２及び４乃至１１の何れか一つの態様において、前記第１の送信手段は、前記抽出手段により抽出された決済用情報を含む前記要求信号を、前記情報管理装置宛に送信する、構成である。
【００３１】
本構成によれば、前記第１の送信手段により、前記抽出手段により抽出された決済用情報を含む前記要求信号が、前記情報管理装置宛に送信される。
本発明の第１３の態様に係る情報管理装置は、請求項１乃至１２の何れか一項に記載の情報提供装置から送信された信号を受信する受信手段と、前記受信手段により受信された信号に、ストック要求に係る要求情報と、前記情報提供装置の情報データベースに記憶されていた情報と、ユーザー情報又は端末情報とが含まれていた場合に、前記情報端末装置の情報データベースに記憶されていた情報を、前記ユーザー情報又は前記端末情報と関連付けて記憶するストック手段と、信号を送信する第１の送信手段と、を有し、前記受信手段により受信された信号に、送信の出力要求に係る要求情報と、送信先情報と、前記ユーザー情報又は前記端末情報とが含まれていた場合、前記第１の送信手段は、前記ストック手段に記憶されている、前記ユーザー情報又は前記端末情報に関連付けされている情報を、前記送信先情報に係る送信先宛に送信する、構成である。
【００３２】
本構成によれば、受信手段により、前記第１乃至１２の何れか一つの態様に係る情報提供装置から送信された信号が受信され、前記受信手段により受信された信号に、ストック要求に係る要求情報と、前記情報提供装置の情報データベースに記憶されていた情報と、ユーザー情報又は端末情報とが含まれていた場合に、ストック手段により、前記情報データベースに記憶されていた情報が、前記ユーザー情報又は前記端末情報と関連付けて記憶され、第１の送信手段により信号が送信され、そして、前記受信手段により受信された信号に、送信の出力要求に係る要求情報と、送信先情報と、前記ユーザー情報又は前記端末情報とが含まれていた場合には、前記第１の送信手段により、前記ストック手段に記憶されている、前記ユーザー情報又は前記端末情報に関連付けされている情報が、前記送信先情報に係る送信先宛に送信される。
【００３３】
本発明の第１４の態様に係る情報管理装置は、前記第１３の態様に係る態様において、前記情報提供装置宛に信号を送信する第２の送信手段と、前記ストック手段に記憶されている特定の情報のインデックス情報であるストック情報を生成するストック情報生成手段と、を更に有し、前記受信手段により受信された信号に、ストック要求に係る要求情報と、前記ユーザー情報又は前記端末情報とが含まれていた場合、前記ストック情報生成手段は、前記ストック手段に記憶されている、前記ユーザー情報又は前記端末情報に関連付けされている情報のインデックス情報であるストック情報を生成し、前記第２の送信手段は、前記ストック情報生成手段により生成されたストック情報を、前記情報提供装置宛に送信する、構成である。
【００３４】
本構成によれば、第２の送信手段により前記情報提供装置宛に信号が送信され、ストック情報生成手段により前記ストック手段に記憶されている特定の情報のインデックス情報であるストック情報が生成され、そして、前記受信手段により受信された信号に、ストック要求に係る要求情報と、前記ユーザー情報又は前記端末情報とが含まれていた場合には、前記ストック情報生成手段により、前記ストック手段に記憶されている、前記ユーザー情報又は前記端末情報に関連付けされている情報のインデックス情報であるストック情報が生成され、前記第２の送信手段により、前記ストック情報生成手段により生成されたストック情報が、前記情報提供装置宛に送信される。
【００３５】
本発明の第１５の態様に係る情報管理装置は、前記第１３又は１４の態様において、前記ストック手段に記憶されている情報を印刷する印刷手段と、前記ストック手段に記憶されている情報を記録媒体に書き込むメディア書込み手段と、を更に有し、前記受信手段により受信された信号に、印刷の出力要求に係る要求情報と、前記ユーザー情報又は前記端末情報とが含まれていた場合、前記印刷手段は、前記ストック手段に記憶されている、前記ユーザー情報又は前記端末情報に関連付けされている情報を印刷し、前記受信手段により受信された信号に、記録の出力要求に係る要求情報と、前記ユーザー情報又は前記端末情報とが含まれていた場合、前記記録手段は、前記ストック手段に記憶されている、前記ユーザー情報又は前記端末情報に関連付けされている情報を前記記録媒体に書き込む、構成である。
【００３６】
本構成によれば、更に、印刷手段により前記ストック手段に記憶されている情報が印刷され、メディア書込み手段により前記ストック手段に記憶されている情報が記録媒体に書き込まれ、そして、前記受信手段により受信された信号に、印刷の出力要求に係る要求情報と、前記ユーザー情報又は前記端末情報とが含まれていた場合には、前記印刷手段により、前記ストック手段に記憶されている、前記ユーザー情報又は前記端末情報に関連付けされている情報が印刷され、前記受信手段により受信された信号に、記録の出力要求に係る要求情報と、前記ユーザー情報又は前記端末情報とが含まれていた場合には、前記記録手段により、前記ストック手段に記憶されている、前記ユーザー情報又は前記端末情報に関連付けされている情報が前記記録媒体に書き込まれる。
【００３７】
本発明の第１６の態様に係る情報管理装置は、前記第１５の態様において、前記受信手段により受信された信号に、出力要求に係る要求情報が含まれていた場合に、該出力要求に係る要求情報に基づいて、前記ストック手段に記憶されている、前記ユーザー情報又は前記端末情報に関連付けされている情報の出力方法を決定する出力決定手段、を更に有する、構成である。
【００３８】
本構成によれば、更に、前記受信手段により受信された信号に含まれる情報が、出力要求に係る要求情報であった場合に、出力決定手段により、該出力要求に係る要求情報に基づいて、前記ストック手段に記憶されている、前記ユーザー情報又は前記端末情報に関連付けされている情報の出力方法が決定される。
【００３９】
本発明の第１７の態様に係る情報管理装置は、前記第１３の態様において、前記ストック手段は、当該ストック手段に記憶されている特定の情報を削除する削除手段と、当該ストック手段に記憶されている特定の情報をグループ化するグループ化手段と、前記グループ化手段によりグループ化された情報のグループ化を解除するグループ化解除手段と、当該ストック手段に記憶されている特定の複数の情報の順序を所定の基準に従って並べ替えるソート手段と、を更に有し、前記受信手段により受信された信号に、削除要求に係る要求情報と、前記ユーザー情報又は前記端末情報と、選択された削除対象とする情報を特定するための選択情報とが含まれていた場合、前記削除手段は、当該ストック手段に記憶されている、前記ユーザー情報又は前記端末情報に関連付けされている情報であって、前記選択情報によって特定される情報を削除し、前記受信手段により受信された信号に、グループ化要求に係る要求情報と、前記ユーザー情報又は前記端末情報と、選択されたグループ化対象とする情報を特定するための選択情報とが含まれていた場合、前記グループ化手段は、当該ストック手段に記憶されている、前記ユーザー情報又は前記端末情報に関連付けされている情報であって、前記選択情報によって特定される情報をグループ化し、前記受信手段により受信された信号に、グループ化解除要求に係る要求情報と、前記ユーザー情報又は前記端末情報と、選択されたグループ化解除対象となるグループを特定するための選択情報とが含まれていた場合、前記グループ化解除手段は、当該ストック手段に記憶されている、前記ユーザー情報又は前記端末情報に関連付けされている情報であって、前記選択情報によって特定されるグループのグループ化を解除し、前記受信手段により受信された信号に、ソート要求に係る要求情報と、前記ユーザー情報又は前記端末情報と、選択されたソート対象となる情報を特定するための情報と選択されたソート基準に係る情報からなる選択情報とが含まれていた場合、前記ソート手段は、当該ストック手段に記憶されている、前記ユーザー情報又は前記端末情報に関連付けされている情報であって、前記選択情報によって特定される情報を、前記選択情報によって特定されるソート基準に従ってソートする、構成である。
【００４０】
本構成によれば、更に、前記ストック手段において、削除手段により当該ストック手段に記憶されている特定の情報が削除され、グループ化手段により当該ストック手段に記憶されている特定の情報がグループ化され、グループ化解除手段により前記グループ化手段によりグループ化された情報のグループ化が解除され、ソート手段により当該ストック手段に記憶されている特定の複数の情報の順序が所定の基準に従って並べ替えられ、そして、前記受信手段により受信された信号に、削除要求に係る要求情報と、前記ユーザー情報又は前記端末情報と、選択された削除対象とする情報を特定するための選択情報とが含まれていた場合には、前記削除手段により、当該ストック手段に記憶されている、前記ユーザー情報又は前記端末情報に関連付けされている情報であって、前記選択情報によって特定される情報が削除され、前記受信手段により受信された信号に、グループ化要求に係る要求情報と、前記ユーザー情報又は前記端末情報と、選択されたグループ化対象とする情報を特定するための選択情報とが含まれていた場合には、前記グループ化手段により、当該ストック手段に記憶されている、前記ユーザー情報又は前記端末情報に関連付けされている情報であって、前記選択情報によって特定される情報がグループ化され、前記受信手段により受信された信号に、グループ化解除要求に係る要求情報と、前記ユーザー情報又は前記端末情報と、選択されたグループ化解除対象となるグループを特定するための選択情報とが含まれていた場合には、前記グループ化解除手段により、当該ストック手段に記憶されている、前記ユーザー情報又は前記端末情報に関連付けされている情報であって、前記選択情報によって特定されるグループのグループ化が解除され、前記受信手段により受信された信号に、ソート要求に係る要求情報と、前記ユーザー情報又は前記端末情報と、選択されたソート対象となる情報を特定するための情報と選択されたソート基準に係る情報からなる選択情報とが含まれていた場合には、前記ソート手段により、当該ストック手段に記憶されている、前記ユーザー情報又は前記端末情報に関連付けされている情報であって、前記選択情報によって特定される情報が、前記選択情報によって特定されるソート基準に従ってソートされる。
【００４１】
本発明の第１８の態様に係る情報端末装置は、要求信号を生成する生成手段と、前記生成手段により生成された要求信号を送信する指向性を有する第１の送信手段と、請求項１乃至１２の何れか一項に記載の情報提供装置から送信された信号を受信する受信手段と、当該情報端末装置の自己アドレスを記憶する記憶手段と、を有する構成である。
【００４２】
本構成によれば、生成手段により要求信号が生成され、指向性を有する第１の送信手段により前記生成手段により生成された要求信号が送信され、受信手段により前記第１乃至１２の何れか一つの態様に係る情報提供装置から送信された信号が受信され、記憶手段により当該情報端末装置の自己アドレスが記憶される。
【００４３】
本発明の第１９の態様に係る情報提供装置は、前記第１８の態様において、前記要求信号は、情報を記憶させるためのストック要求に係る要求信号、記憶された情報の一部または全部を何れかの方法で出力させるための出力要求に係る要求信号、記憶された情報のインデックス情報であるストック情報を取得するためのストック情報要求に係る要求信号、記憶された情報の一部または全部を所望の送信先宛に送信させるための送信出力要求に係る要求信号、記憶された情報の一部または全部を印刷させるための印刷出力要求に係る要求信号、記憶された情報の一部または全部を記録媒体に記録させるための記録出力要求に係る要求信号、記憶された情報の一部または全部を削除させるための削除要求に係る要求信号、記憶された情報の一部または全部を所望の基準で並べ替えさせるためのソート要求に係る要求信号、記憶された情報の一部または全部をグループ化させるためのグループ化要求に係る要求信号、及び、グループ化要求によりグループ化された情報のグループ化を解除するグループ化解除要求に係る要求信号、の何れかである、構成である。
【００４４】
本構成によれば、前記要求信号は、情報を記憶させるためのストック要求に係る要求信号、記憶された情報の一部または全部を何れかの方法で出力させるための出力要求に係る要求信号、記憶された情報のインデックス情報であるストック情報を取得するためのストック情報要求に係る要求信号、記憶された情報の一部または全部を所望の送信先宛に送信させるための送信出力要求に係る要求信号、記憶された情報の一部または全部を印刷させるための印刷出力要求に係る要求信号、記憶された情報の一部または全部を記録媒体に記録させるための記録出力要求に係る要求信号、記憶された情報の一部または全部を削除させるための削除要求に係る要求信号、記憶された情報の一部または全部を所望の基準で並べ替えさせるためのソート要求に係る要求信号、記憶された情報の一部または全部をグループ化させるためのグループ化要求に係る要求信号、及び、グループ化要求によりグループ化された情報のグループ化を解除するグループ化解除要求に係る要求信号、の何れかとなる。
【００４５】
本発明の第２０の態様に係る情報端末装置は、前記第１８又は１９の態様において、画像を撮影する画像撮影手段と、前記画像撮影手段により撮影された画像を記憶する画像記憶手段と、前記画像記憶手段に記憶されている画像を、前記情報提供装置宛に送信する第２の送信手段と、を更に有し、前記受信手段により受信された信号が、前記情報提供装置からの追加情報要求信号であった場合、前記第２送信手段は、前記画像記憶手段に記憶されている画像を、前記情報提供装置宛に送信する、構成である。
【００４６】
本構成によれば、更に、画像撮影手段により画像が撮影され、画像記憶手段により前記画像撮影手段により撮影された画像が記憶され、第２の送信手段により前記画像記憶手段に記憶されている画像が前記情報提供装置宛に送信され、そして、前記受信手段により受信された信号が、前記情報提供装置からの追加情報要求信号であった場合には、前記第２送信手段により、前記画像記憶手段に記憶されている画像が、前記情報提供装置宛に送信される。
【００４７】
本発明の第２１の態様に係る情報端末装置は、前記第１８乃至２０の何れか一つの態様において、ユーザー情報又は当該情報端末装置の端末情報を記憶する情報記憶手段、を更に有し、記生成手段は、前記情報記憶手段に記憶されている前記ユーザー情報又は前記端末情報を含む要求信号を生成する、構成である。
【００４８】
本構成によれば、更に、情報記憶手段によりユーザー情報又は当該情報端末装置の端末情報が記憶され、そして、記生成手段により、前記情報記憶手段に記憶されている前記ユーザー情報又は前記端末情報を含む要求信号が生成される。
【００４９】
本発明の第２２の態様に係る情報端末装置は、前記第２１の態様において、会員を識別するための会員識別情報を記憶する会員識別情報記憶手段と、決済方法や決済を行うための情報である決済用情報を記憶する決済用情報記憶手段と、を更に有する、構成である。
【００５０】
本構成によれば、更に、会員識別情報記憶手段により会員を識別するための会員識別情報が記憶され、決済用情報記憶手段により決済方法や決済を行うための情報である決済用情報が記憶される。
【００５１】
尚、本発明は、上述の、第１乃至１２の態様に係る情報提供装置、第１３乃至１７の態様に係る情報管理装置と、第１８乃至２２の態様に係る情報端末装置に限らず、第１乃至１２の何れか一つの態様に係る情報提供装置と、第１３乃至１７の何れか一つの態様に係る情報管理装置と、第１８乃至２２の何れか一つの態様に係る情報端末装置と、を有する情報提供システムとして構成することも可能である。
【発明の効果】
【００５２】
本発明によれば、情報要求者がＵＲＬや電話番号等といった情報取得先を特定するための情報を知らなくても簡便かつ自由に情報を取得することができる。また、特別な管理を要しないので、適用範囲に制限の無いシステムを実現することができる。また、至近距離にいる不特定の１人以上の情報要求者に対しての情報提供が可能になる。
【発明を実施するための最良の形態】
【００５３】
以下、本発明の実施例について図面を参照しながら説明する。
【実施例１】
【００５４】
図１は、本実施例に係る情報提供システムの構成を示す図であり、本システムを展示会場に適用した例を示している。
同図において、情報端末装置（以下単に「端末装置」という）１は、情報取得に係る各種要求を行うための装置であり、展示会場の来場者に所持されているものである。情報提供サーバ２は、情報を提供する装置であり、各出展ブースに設けられている。情報管理サーバ３は、情報を管理する装置であり、展示会場内又は展示会場外に設けられ、展示会の主催者が有している。
【００５５】
端末装置１と情報提供サーバ２とは、無線により通信可能に構成されており、情報提供サーバ２と情報管理サーバ３とは、有線或いは無線により通信可能に構成されている。
本システムでは、来場者が端末装置１を操作して所望の出展ブースが提供する情報のストック要求を行うと、その情報提供サーバ２から提供情報が読み出され、その提供情報が情報管理サーバ３へ送信されストック（一時記憶）されるようになっている。
【００５６】
また、その来場者が必要に応じて端末装置１を操作して情報管理サーバ３にストックされている特定の提供情報の出力要求を行うと、情報管理サーバ３にて、その特定の提供情報の、印刷、記録媒体（記録メディア）への記録、又は所望の送信先宛への送信が行われるようになっている。これにより、その来場者は、ストックした提供情報を、印刷媒体として、記録媒体として、又は、所望の送信先から取得することができるようになっている。
【００５７】
また、その来場者が必要に応じて端末装置１を操作して情報管理サーバ３にストックされている提供情報のストック情報要求を行うと、ストックされている提供情報のリスト情報（インデックス情報）となるストック情報が取得されるようになっている。また、その来場者がストック情報要求を行う際には、同時に、情報管理サーバ３にストックされている特定の提供情報の削除や整理を要求することもできるようになっている。この場合には、その特定の提供情報の削除や整理も同時に行われるようになっている。これにより、その来場者は、一旦ストックしたものの、後に不要となった提供情報については削除することができ、また、必要に応じて、ストックした提供情報のグループ化、グループ化解除、ソート等といった整理を行うこともできるようになっている。
【００５８】
図２は、本実施例に係る、端末装置１と情報提供サーバ２の構成を示す機能ブロック図である。
同図において、端末装置１は、利用者の操作に応じてトリガ信号をコマンド生成部１１へ出力する情報取得モードＳＷ１２と、当該端末装置１の自己アドレス（以下単に「端末アドレス」という）が記憶されている端末アドレスメモリ１３と、予め利用者により設定されている一つ又は複数の送信先アドレスからなる送信先情報が記憶されている送信先情報メモリ１４と、予め利用者により設定されている利用者情報であるユーザー情報（当該端末装置１の端末情報でも良い）が記憶されているユーザー情報メモリ１５と、利用者の要求選択操作に応じてストック要求、出力要求、又はストック情報要求を選択する要求選択ＳＷ１６と、トリガ信号が入力された時に端末アドレスメモリ１３に記憶されている端末アドレスとユーザー情報メモリ１５に記憶されているユーザー情報と要求選択ＳＷにより選択されている要求に係る要求情報と必要に応じて送信先情報メモリ１４に記憶されている送信先情報とを含む要求信号を生成するコマンド生成部１１と、指向性を有し所定方向に信号を送信するものであってコマンド生成部１１により生成された要求信号を赤外線により無線送信する赤外送信部１７と、当該端末装置１の端末アドレス宛に無線送信された信号を受信し該信号に含まれる情報を取得する電波受信部１８と、電波受信部１８により取得されたストック情報が記憶されるメモリ１９と、電波受信部１８により取得された要求結果情報を解析する要求結果解析部２０と、要求結果解析部２０による解析結果に応じて音声アラーム（不図示）による確認音の再生等を行うアラーム部２１と、コントロールプログラムが記憶されているプログラムメモリ２２と、プログラムメモリ２２に記憶されているコントロールプログラムを実行することによって当該端末装置１全体の動作を制御するコントローラ（ＣＰＵ）２３等を有している。
【００５９】
尚、装置装置１において、端末アドレスメモリ１３に記憶されている端末アドレスは、例えばＵＲＬ、又は電話番号等とすることも可能である。また、送信先情報メモリ１４に記憶されている送信先アドレスは、例えば電子メールアドレス、ＵＲＬ、又は電話番号等とすることも可能である。
【００６０】
一方、情報提供サーバ２は、指向性を有し所定方向からの信号を受信するものであって赤外線により無線送信された要求信号を受信する赤外受信部２４と、赤外受信部２４により受信された要求信号を分析し該要求信号から端末アドレス、ユーザー情報、要求情報、更に必要に応じて送信先情報を抽出するコマンド分析部２５と、コマンド分析部２５により抽出された要求情報を分析し要求（ストック要求、出力要求、又はストック情報要求）の特定等を行う要求分析部２６と、当該出展ブースの出展者が提供する情報が記憶されている情報ＤＢ（データベース）２７と、要求分析部２６により特定された要求に応じた要求処理を情報管理サーバ３に依頼するための要求信号の生成と生成した要求信号の情報管理サーバ３への送信と情報管理サーバ３からの信号の受信等を行う要求コマンド処理部２８と、要求コマンド処理部２８が受信した信号に含まれる処理結果情報と必要に応じてストック情報とをコマンド分析部２５により抽出された端末アドレス宛に電波により無線送信する電波送信部２９と、コントロールプログラムが記憶されているプログラムメモリ３０と、プログラムメモリ３０に記憶されているコントロールプログラムを実行することにより当該情報提供サーバ２全体の動作を制御するコントローラ（ＣＰＵ）３１等を有している。
【００６１】
尚、本実施例では、端末装置１から情報提供サーバ２へ、赤外線により要求信号が無線送信されるものであるが、他の光を含む電磁波、又は超音波を含む音波によりその要求信号が無線送信されるように構成することも可能である。
【００６２】
図３は、本実施例に係る、情報管理サーバ３の構成を示す機能ブロック図である。
同図において、情報管理サーバ３は、情報提供サーバ２から送信された要求信号の受信と受信した要求信号の分析と処理結果情報及び必要に応じてストック情報とを含む信号の情報提供サーバ２への送信等を行う要求コマンド処理部３６と、当該情報管理サーバ３が提供可能な出力サービスを識別するための出力サービス情報が記憶されている出力サービス情報メモリ３７と、要求コマンド処理部３６が受信した要求信号に含まれる要求情報がストック要求に係る要求情報である場合に要求信号に含まれている提供情報をストックするストック情報ＤＢ３８と、要求コマンド処理部３６が受信した要求信号に含まれる要求情報がストック情報要求に係る要求情報である場合にストック情報ＤＢ３８にストックされている特定の提供情報のリスト情報（インデックス情報）であるストック情報を生成（作成）するストックリスト生成部３９と、要求コマンド処理部３６が受信した要求信号に含まれる要求情報が出力要求に係る要求情報である場合にその出力要求に係る要求情報を基に出力先を分析する出力先分析部４０と、要求コマンド処理部３６が受信した要求信号に含まれている出力要求に係る要求情報と送信先情報とに基づいてストック情報ＤＢ３８にストックされている特定の提供情報をインターネット経由で送信先情報に係る送信先（例えばＵＲＬや電子メールアドレス等）宛に送信するインターネット経由での情報送信部（以下単に「情報送信部」という）４１と、出力先分析部４０の分析結果を基に情報出力方法を判別（決定）する情報出力方法判別部４２と、要求コマンド処理部３６が受信した要求信号に含まれている出力要求に係る要求情報に基づいてストック情報ＤＢ３８にストックされている特定の提供情報を紙等の印刷媒体（物理媒体）へ印刷する印刷処理部４３と、要求コマンド処理部３６が受信した要求信号に含まれている出力要求に係る要求情報に基づいてストック情報ＤＢ３８にストックされている特定の提供情報を記録媒体（物理媒体）へ自動書込みを行う記録メディアへの自動書込み部（以下単に「自動書込み部」という）４４と、コントロールプログラムが記憶されているプログラムメモリ４５と、プログラムメモリ３０に記憶されているコントロールプログラムを実行することにより当該情報管理サーバ３全体の動作を制御するコントローラ（ＣＰＵ）４６等を有している。
【００６３】
尚、情報管理サーバ３において、情報送信部４１と印刷処理部４３と自動書込み部４４の各々は、処理が終了すると、出力結果情報を要求コマンド処理部３６へ出力するようになっている。
【００６４】
また、ストック情報ＤＢ３８は、必要に応じて、更に、ストックされている特定の情報の削除、ストックされている特定の情報のグループ化、グループ化された情報のグループ化解除、及び、ストックされている特定の情報の順序を所定の基準に従って並べ替えるソート等も行うことができるようになっている。
【００６５】
次に、本システムの動作について説明する。
図４は本システムの動作に係るフローチャートを示す図、図５は本システムの動作において利用者がストック要求をしたときに行われる動作に係るフローチャートを示す図、図６は本システムの動作において利用者がストック情報要求をしたときに行われる動作に係るフローチャートを示す図、及び、図７は本システムの動作において利用者が出力要求をしたときに行われる動作に係るフローチャートを示す図である。
【００６６】
まず、図４を用いて、本システムの動作を説明する。
同図において、Ｓ１乃至３とＳ１８乃至１９の処理は端末装置１の動作を示し、Ｓ４乃至９とＳ１６乃至１７の処理は情報提供サーバ２の動作を示し、Ｓ１０乃至１５の処理は情報管理サーバ３の動作を示している。
【００６７】
まず、利用者が、端末装置１に対し、要求選択操作を行って所望の要求（ストック要求、ストック情報要求、又は出力要求）を選択した後に、当該端末装置１の赤外送信部１７を出展ブースに設けられた情報提供サーバ２の赤外受信部２４へ向け、一定の操作を行うと、情報取得モードＳＷ１２からコマンド生成部１１へトリガ信号が入力され、端末装置１では、Ｓ１以降の処理を開始する。
【００６８】
まず、端末アドレスメモリ１３に記憶されている端末アドレスと、ユーザー情報メモリ１５に記憶されているユーザー情報（又は端末情報でも良い）と、必要に応じて送信先情報メモリ１４に記憶されている送信先情報とが読み出される（Ｓ１）。
【００６９】
続いて、Ｓ１で読み出された端末アドレスとユーザー情報と必要に応じて送信先情報と、利用者の要求選択操作によって要求選択ＳＷ１６により選択されている要求に係る要求情報とを含む要求信号が生成され（Ｓ２）、その要求信号が赤外受信部１７により赤外線送信される（Ｓ３）。
【００７０】
情報提供サーバ２では、赤外受信部２４が、Ｓ３で端末装置１から送信された要求信号を受信すると、処理がＳ４とＳ１６に分岐する。
Ｓ１６では、コマンド分析部２５により、要求信号から端末アドレスが抽出され、処理がＳ１７へ進む。
【００７１】
一方、Ｓ４では、コマンド分析部２５により要求信号からユーザー情報と要求情報が抽出され、要求分析部２６により要求情報が分析される（Ｓ５）。
Ｓ５の分析の結果、要求情報がストック要求に係る要求情報である場合には、情報ＤＢ２７から送信する提供情報が読み出され（Ｓ６）、Ｓ８へ進む。
【００７２】
又は、Ｓ５の分析の結果、要求情報がストック情報要求に係る要求情報である場合には、そのままＳ８へ進む。
又は、Ｓ５の分析の結果、要求情報が出力要求に係る要求情報である場合には、必要に応じて、コマンド分析部２５により要求信号から送信先情報が抽出され（Ｓ７）、Ｓ８へ進む。
【００７３】
続くＳ８では、要求コマンド処理部２８によって、情報管理サーバ２に対し要求情報に係る要求処理を依頼する要求信号であって、Ｓ４で抽出されたユーザー情報と要求情報と、必要に応じてＳ６で読み出された提供情報やＳ７で抽出された送信先情報とを含む要求信号が生成され（Ｓ８）、その要求信号が情報管理サーバ２宛に送信される（Ｓ９）。
【００７４】
情報管理サーバ３では、要求コマンド処理部３６が、Ｓ９で情報提供サーバ２から送信された要求信号を受信すると、要求コマンド処理部３６により要求信号の分析が行われる（Ｓ１０）。
【００７５】
Ｓ１０の分析の結果、要求信号に含まれる要求情報がストック要求に係る要求情報である場合には、要求信号に含まれている提供情報が、要求信号に含まれているユーザー情報と関連付けされて、ストック情報ＤＢ３８にストック（記憶）され（Ｓ１１）、Ｓ１５へ進む。尚、このようにユーザー情報と関連付けて記憶することにより、後に、ユーザー情報に基づいて提供情報を特定することが可能となっている。
【００７６】
又は、Ｓ１０の分析の結果、要求信号に含まれる要求情報がストック情報要求に係る要求情報である場合には、そのストック情報要求に係る要求情報と要求信号に含まれているユーザー情報とに基づいて、そのストック情報要求に係る要求処理が行われて、ストックリスト生成部３９によりストック情報が作成され（Ｓ１２）、Ｓ１５へ進む。
【００７７】
又は、Ｓ１０の分析の結果、要求信号に含まれる要求情報が出力要求に係る要求情報である場合には、その出力要求に係る要求情報と要求信号に含まれるユーザー情報とに基づいて、出力する提供情報として、ストック情報ＤＢからユーザー情報に関連付けされている提供情報が取得され（Ｓ１３）、その提供情報が、その出力要求に係る要求情報と必要に応じて要求信号に含まれている送信先情報とに基づいて、情報送信部４１によりその送信先情報に係る送信先宛に送信されるか、印刷処理部４３により紙等の印刷媒体に印刷されるか、又は自動書込み部４４により記録媒体へ記録される、といった出力処理が行われ（Ｓ１４）、Ｓ１５へ進む。
【００７８】
続くＳ１５では、要求コマンド処理部３６により、処理結果を示す処理結果情報と必要に応じてストック情報とを含む信号が情報提供サーバ２宛に送信される。
情報提供サーバ２では、要求コマンド処理部２８が、Ｓ１５で情報管理サーバ３から送信された信号を受信すると、その信号から、処理結果情報が要求結果情報として抽出され、また必要に応じてストック情報が抽出され、電波送信部２９により、その要求結果情報と必要に応じてストック情報とを含む信号が、Ｓ１６で抽出された端末アドレス宛に、電波で送信される（Ｓ１７）。
【００７９】
端末装置１では、電波受信部１８が、Ｓ１７で情報提供サーバ２から送信された信号を受信すると、その信号から、要求結果情報と必要に応じてストック情報とが取得され、ストック情報はメモリ１９へ記憶され（Ｓ１８）、要求結果情報は要求結果解析部２０により解析され、その解析結果に応じて、アラーム部２１による音声アラームによる通知が行われる（Ｓ１９）。
【００８０】
以上、本動作によれば、利用者は、所望の出展者が提供する情報を情報管理サーバ３にストックすることができ、また必要に応じて、ストックした提供情報のインデックス情報を取得でき、またその際にストックした特定の提供情報を削除或いは整理することもでき、また必要に応じて、ストックした特定の提供情報を所望の出力形態で出力することができる。
【００８１】
次に、本動作において、利用者がストック要求をしたときの動作を図５を用いて更に詳しく説明する。
同図において、Ｓ２１乃至２３とＳ３２乃至３３の処理は端末装置１の動作を示し、Ｓ２４乃至２７とＳ３０乃至３１の処理は情報提供サーバ２の動作を示し、Ｓ２８乃至２９の処理は情報管理サーバ３の動作を示している。
【００８２】
まず、利用者が、端末装置１に対し、要求選択操作を行ってストック要求を選択した後に、当該端末装置１の赤外送信部１７を所望の出展ブースに設けられた情報提供サーバ２の赤外受信部２４へ向け、一定の操作を行うと、情報取得モードＳＷ１２からコマンド生成部１１へトリガ信号が入力され、端末装置１では、Ｓ２１以降の処理を開始する。
【００８３】
まず、端末アドレスメモリ１３に記憶されている端末アドレスと、ユーザー情報メモリ１５に記憶されているユーザー情報（又は端末情報でも良い）とが読み出される（Ｓ２１）。
【００８４】
続いて、Ｓ２１で読み出された端末アドレスとユーザー情報と、利用者の要求選択操作によって要求選択ＳＷ１６により選択されているストック要求に係る要求情報とを含む要求信号が生成され（Ｓ２２）、その要求信号が赤外受信部１７により赤外線送信される（Ｓ２３）。
【００８５】
情報提供サーバ２では、赤外受信部２４が、Ｓ２３で端末装置１から送信された要求信号を受信すると、処理がＳ２４とＳ３０に分岐する。
Ｓ３０では、コマンド分析部２５により、要求信号から端末アドレスが抽出され、処理がＳ３１へ進む。
【００８６】
一方、Ｓ２４では、コマンド分析部２５により要求信号からユーザー情報と要求情報が抽出され、その要求情報がストック要求に係る要求情報であることに応じて、情報ＤＢ２７から、送信する提供情報が読み出される（Ｓ２５）。そして、要求コマンド処理部２８によって、情報管理サーバ２に対しストック要求の要求情報に係る要求処理を依頼する要求信号であって、Ｓ２４で抽出されたユーザー情報と要求情報とＳ２５で読み出された提供情報とを含む要求信号が生成され（Ｓ２６）、その要求信号が情報管理サーバ２宛に送信される（Ｓ２７）。
【００８７】
情報管理サーバ３では、要求コマンド処理部３６が、Ｓ２７で情報提供サーバ２から送信された要求信号を受信すると、要求信号に含まれる要求情報がストック要求に係る要求情報であることに応じて、要求信号に含まれている提供情報が、要求信号に含まれているユーザー情報と関連付けされて、ストック情報ＤＢ３８にストックされ（Ｓ２８）、また、要求コマンド処理部３６により、処理結果を示す処理結果情報とＳ２８でストックされた提供情報のストック情報とを含む信号が情報提供サーバ２宛に送信される（Ｓ２９）。
【００８８】
情報提供サーバ２では、要求コマンド処理部２８が、Ｓ２９で情報管理サーバ３から送信された信号を受信すると、その信号から、処理結果情報が要求結果情報として抽出されると共に、ストック情報が抽出され、電波送信部２９により、その要求結果情報とストック情報とを含む信号が、Ｓ３０で抽出された端末アドレス宛に、電波で送信される（Ｓ３１）。
【００８９】
端末装置１では、電波受信部１８が、Ｓ３１で情報提供サーバ２から送信された信号を受信すると、その信号から、要求結果情報とストック情報が取得され、ストック情報はメモリ１９へ記憶され（Ｓ３２）、要求結果情報は要求結果解析部２０により解析され、その解析結果に応じて、アラーム部２１による音声アラームによる通知が行われる（Ｓ３３）。
【００９０】
以上、本動作によれば、利用者は、所望の出展者が提供する情報を、情報管理サーバ３にストックすることができる。
次に、図４に示す動作において、利用者がストック情報要求をしたときの動作を図６を用いて更に詳しく説明する。
【００９１】
同図において、Ｓ３６乃至３８とＳ５０乃至５１の処理は端末装置１の動作を示し、Ｓ３９乃至４１とＳ４８乃至４９の処理は情報提供サーバ２の動作を示し、Ｓ４２乃至４７の処理は情報管理サーバ３の動作を示している。
【００９２】
まず、利用者が、端末装置１に対し、要求選択操作を行ってストック情報要求を選択した後に、当該端末装置１の赤外送信部１７を出展ブースに設けられた情報提供サーバ２の赤外受信部２４の方向へ向け、一定の操作を行うと、情報取得モードＳＷ１２からコマンド生成部１１へトリガ信号が入力され、端末装置１では、Ｓ３６以降の処理を開始する。
【００９３】
尚、利用者がストック情報要求を選択する際には、ストック情報ＤＢ３８にストックされている、当該利用者に関係する提供情報のストック情報のみの要求、当該利用者に関係する特定の提供情報の削除と削除後のストック情報の要求、又は当該利用者に関係する特定の提供情報の整理と整理後のストック情報の要求、の何れかを選択することができるようになっている。
【００９４】
ここで、当該利用者に関係する特定の提供情報の削除と削除後のストック情報の要求においては、メモリ１９に記憶されているストック情報を基に、削除対象とする特定の提供情報を選択することができるようになっている。
【００９５】
また、当該利用者に関係する特定の提供情報の整理要求と整理後のストック情報の要求においては、メモリ１９に記憶されているストック情報を基に、整理対象（並べ替え対象（ソート対象）、又はグループ化対象等）とする特定の提供情報を選択することができるようになっている。これにより、例えば、カテゴリー毎、或いはメーカー（出展ブース）毎に分類（グループ化）することができる。また、ソート対象とする提供情報を選択する際には、併せて、ソート基準も選択することができるようになっている。また、メモリ１９に記憶されているストック情報を基に、グループ化解除対象とする特定のグループを選択することもできるようになっている。
【００９６】
本動作では、まず、端末アドレスメモリ１３に記憶されている端末アドレスと、ユーザー情報メモリ１５に記憶されているユーザー情報（又は端末情報でも良い）とが読み出される（Ｓ３６）。
【００９７】
続いて、Ｓ３６で読み出された端末アドレスとユーザー情報と、利用者の要求選択操作によって要求選択ＳＷ１６により選択されているストック情報要求に係る要求情報とを含む要求信号が生成され（Ｓ３７）、その要求信号が赤外受信部１７により赤外線送信される（Ｓ３８）。
【００９８】
尚、前述のとおり、ストック情報要求に係る要求情報は、利用者の選択に応じて、ストック情報要求のみに係る要求情報、ストックされている特定の提供情報の削除要求と削除後のストック情報要求に係る要求情報、又はストックされている特定の提供情報の整理要求と整理後のストック情報要求に係る要求情報である。
【００９９】
ここで、ストックされている特定の提供情報の削除要求と削除後のストック情報要求に係る要求情報には、削除対象として選択された提供情報を特定するための選択情報も含まれている。
【０１００】
また、ストックされている特定の提供情報の整理要求と整理後のストック情報要求に係る要求情報には、整理対象として選択された提供情報を特定するための選択情報も含まれており、更に、その整理がソートである場合には、選択されたソート基準に係る情報も、その選択情報に含まれている。
【０１０１】
また、ストックされている特定の提供情報の整理要求と整理後のストック情報要求に係る要求情報において、その整理がグループ化解除である場合には、グループ化解除対象として選択されたグループを特定するための選択情報も含まれている。
【０１０２】
情報提供サーバ２では、赤外受信部２４が、Ｓ３８で端末装置１から送信された要求信号を受信すると、処理がＳ３９とＳ４８に分岐する。
Ｓ４８では、コマンド分析部２５により、要求信号から端末アドレスが抽出され、処理がＳ４９へ進む。
【０１０３】
一方、Ｓ３９では、コマンド分析部２５により要求信号からユーザー情報と要求情報が抽出され、その要求情報がストック情報要求に係る要求情報であることに応じて、そのままＳ４０へ進み、要求コマンド処理部２８によって、情報管理サーバ２に対しストック情報要求の要求情報に係る要求処理を依頼する要求信号であって、Ｓ３９で抽出されたユーザー情報と要求情報とを含む要求信号が生成され（Ｓ４０）、その要求信号が情報管理サーバ２宛に送信される（Ｓ４１）。
【０１０４】
情報管理サーバ３では、要求コマンド処理部３６が、Ｓ４１で情報提供サーバ２から送信された要求信号を受信すると、要求信号に含まれる要求情報がストック情報要求に係る要求情報であることに応じて、まず、そのストック情報要求に係る要求情報が、ストックされている特定の提供情報の削除要求と削除後のストック情報要求に係る要求情報であるか否かが判定される（Ｓ４２）。
【０１０５】
Ｓ４２の判定結果がＹｅｓの場合には、ストックリスト生成部３９により、ストック情報ＤＢ３８にストックされている、要求信号に含まれているユーザー情報に関連付けされている提供情報の中から、その特定の提供情報の削除要求に応じて、その特定の提供情報が削除される（Ｓ４３）。すなわち、そのストック情報要求に係る要求情報に含まれている選択情報に応じて、削除対象とする特定の提供情報が削除される。そして、処理がＳ４５へ進む。
【０１０６】
一方、Ｓ４２の判定結果がＮｏの場合には、更に、そのストック情報要求に係る要求情報が、ストックされている特定の提供情報の整理要求と整理後のストック情報要求に係る要求情報であるか否かが判定される（Ｓ４４）。
【０１０７】
Ｓ４４の判定結果がＹｅｓの場合には、ストックリスト生成部３９により、その整理要求に応じて、ストック情報ＤＢ３８にストックされている、要求信号に含まれているユーザー情報に関連付けされている提供情報の中から、その特定の提供情報の整理要求に応じて、その特定の提供情報の整理が行われる（Ｓ４５）。すなわち、そのストック情報要求に係る要求情報に含まれている選択情報に応じて、整理対象とする特定の提供情報の整理、例えば、ソート、グループ化、又はグループ化の解除等が行われる。そして、処理がＳ４６へ進む。
【０１０８】
或いは、Ｓ４３の後は、ストックリスト生成部３９により、Ｓ４３で特定の提供情報が削除された後の、要求信号に含まれているユーザー情報に関連付けされている提供情報の整理が行われる（Ｓ４５）。
【０１０９】
一方、Ｓ４４の判定結果がＮｏの場合、すなわち、そのストック情報要求に係る要求情報がストック情報要求のみに係る要求情報である場合、或いはＳ４６の後は、ストックリスト生成部３９により、ストック情報ＤＢ３８にストックされている、要求信号に含まれているユーザー情報に関連付けされている提供情報のインデックス情報であるストック情報が作成される（Ｓ４６）。
【０１１０】
そして、要求コマンド処理部３６により、処理結果を示す処理結果情報とＳ４６で作成されたストック情報とを含む信号が情報提供サーバ２宛に送信される（Ｓ４７）。
情報提供サーバ２では、要求コマンド処理部２８が、Ｓ４７で情報管理サーバ３から送信された信号を受信すると、その信号から、処理結果情報が要求結果情報として抽出されると共にストック情報が抽出され、電波送信部２９により、その要求結果情報とストック情報とを含む信号が、Ｓ４８で抽出された端末アドレス宛に、電波で送信される（Ｓ４９）。
【０１１１】
端末装置１では、電波受信部１８が、Ｓ４９で情報提供サーバ２から送信された信号を受信すると、その信号から、要求結果情報とストック情報が取得され、ストック情報はメモリ１９へ記憶され（Ｓ５０）、要求結果情報は要求結果解析部２０により解析され、その解析結果に応じて、アラーム部２１による音声アラームによる通知が行われる（Ｓ５１）。
【０１１２】
以上、本動作によれば、利用者は、情報管理サーバ３にストックした提供情報のインデックス情報を取得することができ、また、ストックした特定の提供情報を削除或いは整理（並べ替え、グループ化、グループ化解除等）することができる。
【０１１３】
尚、本動作では、ストックされている特定の提供情報の削除と削除後のストック情報の要求、或いは、ストックされている特定の提供情報の整理と整理後のストック情報の要求といったように、特定の提供情報の削除要求とストック情報の要求、或いは、特定の提供情報の整理要求とストック情報の要求とが同時に行われていたが、それらを別々に要求できるようにすることも可能である。すなわち、ストックされている特定の提供情報の削除要求、或いは、ストックされている特定の提供情報の整理要求といった、ストックされている提供情報の編集要求のみを独立して行うようにすることも可能である。
【０１１４】
次に、図４に示す動作において、利用者が出力要求をしたときの動作を図７を用いて更に詳しく説明する。
同図において、Ｓ５６乃至５９とＳ７３の処理は端末装置１の動作を示し、Ｓ６０乃至６３とＳ７１乃至７２の処理は情報提供サーバ２の動作を示し、Ｓ６４乃至７０の処理は情報管理サーバ３の動作を示している。
【０１１５】
まず、利用者が、端末装置１に対し、要求選択操作を行って出力要求を選択した後に、当該端末装置１の赤外送信部１７を出展ブースに設けられた情報提供サーバ２の赤外受信部２４へ向け、一定の操作を行うと、情報取得モードＳＷ１２からコマンド生成部１１へトリガ信号が入力され、端末装置１では、Ｓ５６以降の処理を開始する。
【０１１６】
尚、利用者が出力要求を選択する際には、ストックされている特定の提供情報を、所望の送信先宛（送信先情報メモリ１４に記憶されている送信先アドレス宛）へ出力する要求、印刷媒体として出力する要求、又は記録媒体（記録メディア）に出力する要求、の何れかを選択することができるようになっている。
【０１１７】
まず、端末アドレスメモリ１３に記憶されている端末アドレスと、ユーザー情報メモリ１５に記憶されているユーザー情報（又は端末情報でも良い）とが読み出される（Ｓ５６）。但し、利用者が選択する出力要求が、所望の送信先宛へ出力する要求である場合には、更に、送信先情報メモリ１４に記憶されている送信先情報も読み出される。
【０１１８】
続いて、利用者の選択操作により、メモリ１９に記憶されているストック情報を基に出力対象とする提供情報の選択が行われる（Ｓ５７）。
続いて、Ｓ５６で読み出された端末アドレスとユーザー情報と必要に応じて送信先情報と、利用者の要求選択操作によって要求選択ＳＷ１６により選択されている出力要求に係る要求情報とを含む要求信号が生成され（Ｓ５８）、その要求信号が赤外受信部１７により赤外線送信される（Ｓ５９）。
【０１１９】
尚、前述のとおり、出力要求に係る要求情報は、利用者の選択に応じて、ストックされている特定の提供情報を、所望の送信先宛（送信先情報メモリ１４に記憶されている送信先アドレス宛）に出力する要求に係る要求情報、印刷媒体として出力する要求に係る要求情報、又は記録媒体（記録メディア）に出力する要求に係る要求情報、の何れかに係る要求情報である。また、この出力要求に係る要求情報には、Ｓ５７で選択された出力対象とする提供情報を特定するための選択情報も含まれている。
【０１２０】
情報提供サーバ２では、赤外受信部２４が、Ｓ５９で端末装置１から送信された要求信号を受信すると、処理がＳ６０とＳ７１へ分岐する。
Ｓ７１では、コマンド分析部２５により、要求信号から端末アドレスが抽出され、処理がＳ７２へ進む。
【０１２１】
一方Ｓ６０では、コマンド分析部２５により要求信号からユーザー情報と要求情報が抽出され、その要求情報が出力要求に係る要求情報であることに応じて、更に必要に応じて、要求信号から送信先情報が抽出される（Ｓ６１）。
【０１２２】
続いて、要求コマンド処理部２８によって、情報管理サーバ２に対し出力要求の要求情報に係る要求処理を依頼する要求信号であって、Ｓ６０で抽出されたユーザー情報と要求情報と、必要に応じてＳ６１で抽出された送信先情報とを含む要求信号が生成され（Ｓ６２）、その要求信号が情報管理サーバ２宛に送信される（Ｓ６３）。
【０１２３】
情報管理サーバ３では、要求コマンド処理部３６が、Ｓ６３で情報提供サーバ２から送信された要求信号を受信すると、要求信号に含まれる要求情報が出力要求に係る要求情報であることに応じて、ストック情報ＤＢ３８にストックされている、要求信号に含まれているユーザー情報に関連付けされている提供情報の中から、その出力要求に係る要求情報に含まれている選択情報に応じて、出力対象とする特定の提供情報が取得される（Ｓ６４）。
【０１２４】
続いて、その出力要求が所望の送信先宛へ出力する要求である場合には、要求信号から更に送信先情報が抽出される（Ｓ６５）。
続いて、出力先分析部４０による分析と情報出力方法判別部４２による判別によって、その出力要求に係る要求情報が、特定の提供情報を、所望の送信先宛へ出力する要求に係る要求情報であるか、印刷媒体として出力する要求に係る要求情報であるか、又は記録媒体（記録メディア）に出力する要求に係る要求情報であるかが判定される（Ｓ６６）。
【０１２５】
Ｓ６６の判定結果が、所望の送信先宛へ出力する要求に係る要求情報であった場合には、インターネット経由での情報提供処理が行われる。すなわち、情報送信部４１により、Ｓ６４で取得された特定の提供情報が、Ｓ６５で抽出された送信先情報に係る送信先宛に、インターネット経由で送信される（Ｓ６７）。
【０１２６】
又は、Ｓ６６の判定結果が、印刷媒体として出力する要求に係る要求情報であった場合には、印刷処理が行われる。すなわち、印刷処理部４３により、Ｓ６４で取得された特定の提供情報が、紙等の印刷媒体へ印刷される（Ｓ６８）。
【０１２７】
又は、Ｓ６６の判定結果が、記録媒体に出力する要求に係る要求情報であった場合には、記録媒体（記録メディア）への書込み処理が行われる。すなわち、自動書込み部４４により、Ｓ６４で取得された特定の提供情報が、記録メディアに記録される（Ｓ６９）。
【０１２８】
そして、Ｓ６７、Ｓ６８、又はＳ６９の処理が終了すると、要求コマンド処理部３６により、処理結果を示す処理結果情報を含む信号が情報提供サーバ２宛に送信される（Ｓ７０）。
【０１２９】
情報提供サーバ２では、要求コマンド処理部２８が、Ｓ７０で情報管理サーバ３から送信された信号を受信すると、その信号から、処理結果情報が要求結果情報として抽出され、電波送信部２９により、その要求結果情報を含む信号が、Ｓ７１で抽出された端末アドレス宛に、電波で送信される（Ｓ７２）。
【０１３０】
端末装置１では、電波受信部１８が、Ｓ７２で情報提供サーバ２から送信された信号を受信すると、その信号から要求結果情報が取得され、その要求結果情報は要求結果解析部２０により解析され、その解析結果に応じて、アラーム部２１による音声アラームによる通知が行われる（Ｓ７３）。
【０１３１】
以上、本動作によれば、利用者は、情報管理サーバ３にストックした特定の提供情報を、所望の送信先へ送信する、印刷媒体として出力する、又は記録媒体へ出力することができる。
【０１３２】
尚、本動作において、Ｓ５７で出力対象として全ての提供情報が選択された場合には、Ｓ５８で生成される要求信号に選択情報を含めないようにすることも可能である。但し、この場合には、情報管理サーバ３において、出力要求に係る要求情報の中に選択情報が含まれていない場合には、Ｓ６４で取得される出力対象とする提供情報が、ストック情報ＤＢ３８にストックされている、要求信号に含まれているユーザー情報に関連付けされている全ての提供情報とされる。
【０１３３】
以上、実施例１によれば、利用者は、所望の出展者が提供する情報を情報管理サーバ３にストックすることができ、また必要に応じて、ストックした提供情報のインデックス情報を取得でき、またその際にストックした特定の提供情報を削除或いは整理することもでき、また必要に応じて、ストックした特定の提供情報を所望の出力形態で出力することができる。
【実施例２】
【０１３４】
本実施例は、端末装置がカメラ機能を有し、利用者が、ストックされている特定の提供情報の出力要求を行ったときに、その特定の提供情報と共に撮影した画像も一緒に出力することができるようにしたものである。
【０１３５】
本実施例において、情報提供システムの構成は図１に示したものと同じであるが、端末装置１と情報提供サーバ２の構成は図２に示したものと一部異なり、情報管理サーバ３の構成は図３に示したものと同じである。そこで、ここでは、本システムの構成として、端末装置１と情報提供サーバ２の構成のみを説明することにする。
【０１３６】
図８は、本実施例に係る、端末装置１と情報提供サーバ２の構成を示す機能ブロック図である。
同図において、端末装置１は、図２に示した端末装置１の構成に加えて、更に、当該端末装置１に設けられたシャッターボタン（不図示）の押下に応じてトリガ信号を情報取得モードＳＷ１２へ出力するシャッター５１と、情報取得モードＳＷ１２からのトリガ信号の入力に応じて被写体を撮像して画像データ（静止画像データ或いは動画像データ）を取得する撮像部５２と、画像データに係る画像やモード選択又は要求選択を可能にする選択メニュー等を表示する表示部５３と、電波受信部１８が追加情報要求信号を受信したときに利用者の選択操作に応じてメモリ１９に記録されている画像に係る画像データ等の情報を追加情報として選択するデータ選択部５４と、データ選択部５４により選択された追加情報を含む追加情報出力要求信号を生成するコマンド生成部５５と、電波受信部１８が追加情報要求信号から取得したサーバアドレス宛にコマンド生成部５５により生成された追加情報出力要求信号を電波で無線送信する電波送信部５６を有している。
【０１３７】
尚、本実施例に係る端末装置１において、情報取得モードＳＷ１２は、利用者のモード選択操作により、情報取得モードが選択されているときにはコマンド生成部１１のみにトリガ信号を出力し、撮影モードが選択されているときには撮像部５２のみにトリガ信号を出力するものである。また、メモリ１９には、ストック情報の他、撮像部５２により取得された画像データも記憶される。また、電波受信部１８は、更に、受信した追加情報要求信号からサーバアドレスを取得する。
【０１３８】
一方、情報提供サーバ２は、図２に示した情報提供サーバ２の構成に加えて、更に、当該情報提供サーバ２の自己アドレス（以下単に「サーバアドレス」という）が記憶されているサーバアドレスメモリ５７と、当該情報提供サーバ２のサーバアドレス宛に無線送信された信号を受信し該信号に含まれる情報を取得する電波受信部５８を有している。
【０１３９】
尚、サーバアドレスメモリ５７に記憶されているサーバアドレスは、例えばＵＲＬ、又は電話番号等とすることも可能である。
また、本実施例に係る情報提供サーバ２において、要求コマンド処理部２８は、更に、追加情報要求信号を生成する。また、要求コマンド処理部２８は、更に、電波受信部５８が受信した追加情報出力要求信号から追加情報を抽出する。また、電波送信部２９は、更に、サーバアドレスメモリ５７に記憶されているサーバアドレスを、生成された追加情報要求信号に含め、その追加情報要求信号を、コマンド分析部２５により抽出された端末アドレス宛に送信する。
【０１４０】
次に、本システムの動作について説明する。
本実施例では、本システムの動作として、利用者が出力要求をしたときの動作を説明する。
【０１４１】
図９は、その動作に係るフローチャートを示す図である。
同図において、Ｓ７６乃至７９とＳ８２乃至８４とＳ９８の処理は端末装置１の動作を示し、Ｓ８０乃至８１とＳ８５乃至８９とＳ９７の処理は情報提供サーバ２の動作を示し、Ｓ９０乃至９６の処理は情報管理サーバ３の動作を示している。
【０１４２】
まず、利用者が、端末装置１に対し、モード選択操作によりモードとして情報取得モードを選択し、要求選択操作により要求として出力要求を選択した後に、当該端末装置１の赤外送信部１７を出展ブースに設けられた情報提供サーバ２の赤外受信部２４へ向け、シャッターボタンを押下すると、情報取得モードＳＷ１２からコマンド生成部１１へトリガ信号が入力され、端末装置１では、Ｓ７６以降の処理を開始する。
【０１４３】
尚、本実施例においては、利用者が出力要求を選択する際には、ストックされている特定の提供情報を特定の追加情報と共に、所望の送信先宛（送信先情報メモリ１４に記憶されている送信先アドレス宛）へ出力する要求、印刷媒体として出力する要求、又は記録媒体（記録メディア）に出力する要求、の何れかを選択することができるようになっている。
【０１４４】
まず、端末装置１において、Ｓ７６乃至７９では、図７のＳ５６乃至５９と同じ処理が行われる。
但し、Ｓ７９で送信される要求信号に含まれる出力要求に係る要求情報は、利用者の選択に応じて、ストックされている特定の提供情報を特定の追加情報と共に、所望の送信先宛（送信先情報メモリ１４に記憶されている送信先アドレス宛）に出力する要求に係る要求情報、印刷媒体として出力する要求に係る要求情報、又は記録媒体（記録メディア）に出力する要求に係る要求情報、の何れかに係る要求情報である。また、この出力要求に係る要求情報には、Ｓ７７で選択された出力対象とする提供情報を特定するための選択情報も含まれている。
【０１４５】
情報提供サーバ２では、赤外受信部２４が、Ｓ７９で端末装置１から送信された要求信号を受信すると、まず、コマンド分析部２５により、要求信号から端末アドレスと要求情報が抽出され（Ｓ８０）、要求分析部２６により、その要求情報がストックされている特定の提供情報を特定の追加情報と共に出力する要求に係る要求情報であると分析されたことに応じて、処理がＳ８１とＳ８５へ分岐する。
【０１４６】
Ｓ８１では、要求コマンド処理部２８により追加情報要求信号が生成され、電波送信部２９により、その追加情報要求信号に、サーバアドレスメモリ５７に記憶されているサーバアドレスが含められ、そのサーバドレスメモリを含む追加情報要求信号が、Ｓ８０で抽出された端末アドレス宛に、電波で送信される。
【０１４７】
端末装置１では、電波受信部１８が、Ｓ８１で情報提供サーバ２から送信された追加情報要求信号を受信すると、受信した追加情報要求信号からサーバアドレスが抽出される（Ｓ８２）。そして、データ選択部５４により、利用者の選択操作に応じて、メモリ１９に記憶されている特定の画像に係る画像データ等が追加情報として選択される（Ｓ８３）。
【０１４８】
尚、本実施例では、利用者が、本フロー開始前に当該端末装置１を用いて撮影を行い、メモリ１９には、撮像部５２により取得された画像データが一つ以上記憶されているものとする。
【０１４９】
Ｓ８３が終了すると、コマンド生成部５５により、追加情報を含む追加情報出力要求信号が生成され、電波送信部５６により、その追加情報出力要求信号が、Ｓ８２で抽出されたサーバアドレス宛に電波で無線送信される（Ｓ８４）。
【０１５０】
一方、情報提供サーバ２において、Ｓ８５では、コマンド分析部２５により要求信号からユーザー情報が抽出され、続いて、要求情報が、ストックされている特定の提供情報を特定の追加情報と共に出力する要求に係る要求情報であることから、必要に応じて（その出力要求が所望の送信先宛へ出力する要求である場合には）、更にコマンド分析部２５により要求信号から送信先情報が抽出される（Ｓ８６）。
【０１５１】
そして、電波受信部５８が、Ｓ８４で端末装置１から送信された追加情報出力要求信号を受信すると、要求コマンド処理部２８により、その追加情報出力要求信号から追加情報が抽出され（Ｓ８７）、情報管理サーバ２に対し出力要求の要求情報に係る要求処理を依頼する要求信号であって、Ｓ８０で抽出された、ストックされている特定の提供情報を特定の追加情報と共に出力する要求に係る要求情報と、Ｓ８５で抽出されたユーザー情報と、Ｓ８７で抽出された追加情報と、必要に応じてＳ８６で抽出された送信先情報とを含む要求信号が生成される（Ｓ８８）。Ｓ８８の後は、処理がＳ８９とＳ９７へ分岐し、Ｓ８９では、Ｓ８８で生成された要求信号が情報管理サーバ２宛に送信される。
【０１５２】
情報管理サーバ３では、要求コマンド処理部３６が、Ｓ８９で情報提供サーバ２から送信された要求信号を受信すると、要求信号に含まれる要求情報が、ストックされている特定の提供情報を特定の追加情報と共に出力する要求に係る要求情報であることに応じて、ストック情報ＤＢ３８にストックされている、要求信号に含まれているユーザー情報に関連付けされている提供情報の中から、その出力要求に係る要求情報に含まれている選択情報に応じて、出力対象とする特定の提供情報が取得される（Ｓ９０）。
【０１５３】
続いて、その出力要求が所望の送信先宛へ出力する要求である場合には、要求信号から更に送信先情報が抽出される（Ｓ９１）。
続いて、出力先分析部４０による分析と情報出力方法判別部４２による判別によって、その出力要求に係る要求情報が、特定の提供情報を特定の追加情報と共に、所望の送信先宛へ出力する要求に係る要求情報であるか、印刷媒体として出力する要求に係る要求情報であるか、又は記録媒体（記録メディア）に出力する要求に係る要求情報であるかが判定される（Ｓ９２）。
【０１５４】
Ｓ９２の判定結果が、所望の送信先宛へ出力する要求に係る要求情報であった場合には、インターネット経由での情報提供処理が行われる。すなわち、情報送信部４１により、Ｓ９０で取得された特定の提供情報と、要求信号に含まれている追加情報とが、Ｓ９１で抽出された送信先情報に係る送信先宛に、インターネット経由で送信される（Ｓ９３）。
【０１５５】
又は、Ｓ９２の判定結果が、印刷媒体として出力する要求に係る要求情報であった場合には、印刷処理が行われる。すなわち、印刷処理部４３により、Ｓ９０で取得された特定の提供情報と、要求信号に含まれている追加情報とが、紙等の印刷媒体へ印刷される（Ｓ９４）。
【０１５６】
又は、Ｓ９２の判定結果が、記録媒体に出力する要求に係る要求情報であった場合には、記録媒体（記録メディア）への書込み処理が行われる。すなわち、自動書込み部４４により、Ｓ９０で取得された特定の提供情報と、要求信号に含まれている追加情報とが、記録メディアに記録される（Ｓ９５）。
【０１５７】
そして、Ｓ９３、Ｓ９４、又はＳ９５の処理が終了すると、要求コマンド処理部３６により、処理結果を示す処理結果情報を含む信号が情報提供サーバ２宛に送信される（Ｓ９６）。
【０１５８】
情報提供サーバ２では、要求コマンド処理部２８が、Ｓ９６で情報管理サーバ３から送信された信号を受信すると、その信号から処理結果情報が要求結果情報として抽出され、電波送信部２９により、その要求結果情報を含む信号が、Ｓ８０で抽出された端末アドレス宛に、電波で送信される（Ｓ９７）。
【０１５９】
端末装置１では、電波受信部１８が、Ｓ９７で情報提供サーバ２から送信された信号を受信すると、その信号から要求結果情報が取得され、その要求結果情報は要求結果解析部２０により解析され、その解析結果に応じて、アラーム部２１による音声アラームによる通知が行われる（Ｓ９８）。
【０１６０】
以上、実施例２によれば、利用者は、情報管理サーバ３にストックした特定の情報を所望の出力形態で出力する際に、撮影した画像等の追加情報も一緒に出力することができる。
【実施例３】
【０１６１】
本実施例は、端末装置が当該情報提供システムに対応する端末装置である場合に限り、提供情報のストックやその出力等のサービスを提供するようにしたものである。
本実施例において、情報提供システムの構成は図１に示したものと同じであるが、端末装置１と情報提供サーバ２の構成は図２に示したものと一部異なり、情報管理サーバ３の構成は図３に示したものと同じである。そこで、ここでは、本システムの構成として、端末装置１と情報提供サーバ２の構成のみを説明することにする。
【０１６２】
図１０は、本実施例に係る、端末装置１と情報提供サーバ２の構成を示す機能ブロック図である。
同図において、端末装置１は、図２に示した端末装置１の構成に加えて、更に、当該端末装置１が対応可能な情報提供システムを識別する情報であるサービス対応情報が記憶されているサービス対応情報メモリ６１と、要求結果解析部２０による解析結果等を表示する表示部６２とを有している。
【０１６３】
尚、本実施例の端末装置１において、コマンド生成部１１は、更に、サービス対応情報メモリ６１に記憶されているサービス対応情報も含めて要求信号を生成することができるようになっている。
【０１６４】
一方、情報提供サーバ２は、図２に示した情報提供サーバ２の構成に加えて、更に、当該情報提供システム（当該情報提供サーバ２が属する情報提供システム）を識別する情報であるサービス対応情報が記憶されているサービス対応情報メモリ６３と、サービス対応情報メモリ６３に記憶されているサービス対応情報と端末装置１から送信された要求信号に含まれるサービス対応情報とを比較し端末装置１が当該情報提供システムに対応するものであるか否かを判別するサービス対応判別部６４とを有している。
【０１６５】
尚、本実施例の情報提供サーバにおいて、コマンド分析部２５は、更に、赤外受信部２４が受信した要求信号からサービス対応情報を抽出する。
次に、本システムの動作について説明する。
【０１６６】
図１１は、本システムの動作に係るフローチャートを示す図である。
同図において、Ｓ１０１乃至１０３とＳ１２０乃至１２１の処理は端末装置１の動作を示し、Ｓ１０４乃至１１１とＳ１１８乃至１１９の処理は情報提供サーバ２の動作を示し、Ｓ１１２乃至１１７の処理は情報管理サーバ３の動作を示している。
【０１６７】
まず、利用者が、端末装置１に対し、要求選択操作を行って所望の要求（ストック要求、ストック情報要求、又は出力要求）を選択した後に、当該端末装置１の赤外送信部１７を出展ブースに設けられた情報提供サーバ２の赤外受信部２４へ向け、一定の操作を行うと、情報取得モードＳＷ１２からコマンド生成部１１へトリガ信号が入力され、端末装置１では、Ｓ１０１以降の処理を開始する。
【０１６８】
まず、端末アドレスメモリ１３に記憶されている端末アドレスと、ユーザー情報メモリ１５に記憶されているユーザー情報（又は端末情報でも良い）と、サービス対応情報メモリ６１に記憶されているサービス対応情報と、必要に応じて送信先情報メモリ１４に記憶されている送信先情報とが読み出される（Ｓ１０１）。
【０１６９】
続いて、Ｓ１０１で読み出された端末アドレスとユーザー情報とサービス対応情報と必要に応じて送信先情報と、利用者の選択操作によって要求選択ＳＷ１６により選択されている要求に係る要求情報とを含む要求信号が生成され（Ｓ１０２）、その要求信号が赤外受信部１７により赤外線送信される（Ｓ１０３）。
【０１７０】
情報提供サーバ２では、赤外受信部２４が、Ｓ１０３で端末装置１から送信された要求信号を受信すると、処理がＳ１０４とＳ１１８へ分岐する。
Ｓ１１８では、コマンド分析部２５により、端末装置１から受信した要求信号から端末アドレスが抽出され、処理がＳ１１９へ進む。
【０１７１】
一方、Ｓ１０４では、コマンド分析部２５により要求信号からサービス対応情報が抽出され、サービス対応判別部６４により、その抽出されたサービス対応情報とサービス対応情報メモリ６３に記憶されているサービス対応情報とが比較され端末装置１が当該情報提供システムに対応するものであるか否かが判定（判別）され（Ｓ１０５）、対応するものであると判別された場合には処理がＳ１０６へ進み、対応するものでないと判別された場合には処理がＳ１１９へ進む。
【０１７２】
例えば、Ｓ１０５において、端末装置１が本システムに対応するものではないとして判別されたときには、処理がＳ１１９へ進み、端末装置１が本システムに対応するものではない旨の要求結果情報を含む信号が、Ｓ１１８で抽出された端末アドレス宛に、電波で送信される（Ｓ１１９）。
【０１７３】
端末装置１では、電波受信部１８が、Ｓ１１９で情報提供サーバ２から送信された信号を受信すると、その信号から、要求結果情報が取得され、その要求結果情報は要求結果解析部２０により解析され、その解析結果に応じて、アラーム部２１による音声アラームによる通知と共に表示部６２による解析結果の表示が行われ、端末装置１が本システムに非対応である旨の通知及びその旨の表示がなされる（Ｓ１２１）。
【０１７４】
一方、Ｓ１０５において、端末装置１が本システムに対応するものであると判別されたときには、処理がＳ１０６へ進み、コマンド分析部２５により、要求信号からユーザー情報と要求情報とが抽出され、Ｓ１０７以降の処理が行われる。続くＳ１０７乃至１１１では、図４のＳ５乃至９の処理と同じ処理が行われ、情報提供サーバ２から情報管理サーバ３へ要求信号が送信される。
【０１７５】
情報管理サーバ３では、要求コマンド処理部３６が、Ｓ１１１で情報提供サーバ２から送信された要求信号を受信すると、Ｓ１１２以降の処理が行われる。続くＳ１１２乃至１１７では、図４のＳ１０乃至１５の処理と同じ処理が行われ、情報管理サーバ３から信号が送信される。
【０１７６】
情報提供サーバ２では、要求コマンド処理部２８が、Ｓ１１７で情報管理サーバ３から送信された信号を受信すると、その信号から、処理結果情報が要求結果情報として抽出され、また必要に応じてストック情報が抽出され、電波送信部２９により、その要求結果情報と必要に応じてストック情報とを含む信号が、Ｓ１１８で抽出された端末アドレス宛に、電波で送信される（Ｓ１１９）。
【０１７７】
端末装置１では、電波受信部１８が、Ｓ１１９で情報提供サーバ２から送信された信号を受信すると、その信号から、要求結果情報と必要に応じてストック情報が取得され、ストック情報はメモリ１９へ記憶され（Ｓ１２０）、要求結果情報は要求結果解析部２０により解析され、その解析結果に応じて、アラーム部２１による音声アラームによる通知、又は及び、表示部６２による解析結果の表示が行われる（Ｓ１２１）。
【０１７８】
以上、実施例３によれば、当該情報提供システムが提供するサービスを利用する者を制限することができる。
【実施例４】
【０１７９】
本実施例は、情報提供サーバが、端末装置から取得したユーザー情報（又は端末情報でも良い）を基にユーザーへのサービス提供レベルを判定し、その判定結果に応じて、ユーザーへ提供するサービスを追加することができるようにしたものである。
【０１８０】
本実施例において、情報提供システムの構成は図１に示したものと同じであるが、端末装置１と情報提供サーバ２の構成は図８に示したものと一部異なり、情報管理サーバ３の構成は図３に示したものと同じである。そこで、ここでは、本システムの構成として、端末装置１と情報提供サーバ２の構成のみを説明することにする。
【０１８１】
図１２は、本実施例に係る、端末装置１と情報提供サーバ２の構成を示す機能ブロック図である。
同図において、端末装置１は、図８に示した端末装置１の構成に加えて、更に、電波受信部１８が受信した信号を分析しサービス識別情報を抽出するコマンド分析部６６と、コマンド分析部６６により抽出されたサービス識別情報の中から利用者のサービス選択操作に応じて特定のサービス識別情報を選択するサービス選択部６７と、電波受信部１８が受信した信号からサーバアドレスを抽出するアドレス抽出部６８と、予め利用者により設定されている追加情報の送信先となる一つ又は複数の送信先アドレスからなる送信先情報が記憶されている送信先情報メモリ６９とを有している。
【０１８２】
尚、図１２に示した端末装置１は、図８に示した端末装置１の構成を有するものであるが、その一部構成（例えば撮像部５２や表示部５３等）については、省略して示してある。
【０１８３】
また、本実施例の端末装置１において、コマンド生成部５５は、更に、サービス選択部６７により選択されたサービス識別情報と、必要に応じてメモリ１９に記憶されている画像に係る画像データ等の情報や送信先情報メモリ６９に記憶されている送信先情報とを含む追加要求信号を生成し、電波送信部５６は、更に、その追加要求信号を送信するものである。
【０１８４】
また、本実施例の端末装置１において、送信先情報メモリ６９に記憶されている送信先アドレスは、送信先情報メモリ１４と同様に、例えば電子メールアドレス、ＵＲＬ、又は電話番号等とすることも可能である。
【０１８５】
一方、情報提供サーバ２は、図８に示した情報提供サーバ２の構成に加えて、更に、提供するサービスを識別するためのサービス識別情報が記憶されているサービス識別情報メモリ７０と、コマンド分析部２５により抽出されたユーザー情報を基にサービス提供レベルを判定し該判定結果に応じたサービス識別情報をサービス識別情報メモリ７０から読み出すサービスレベル判定部７１と、電波受信部５８が受信した追加要求信号を分析し該追加要求信号からサービス識別情報と必要に応じて画像に係る画像データ等の追加情報や送信先情報とを抽出するコマンド分析部７２と、コマンド分析部７２により抽出されたサービス識別情報を分析し追加要求の特定を行う要求分析部７３とを有している。
【０１８６】
尚、図１２に示した情報提供サーバ２は、図８に示した情報提供サーバ２の構成を有するものであるが、その一部構成（要求分析部２６）については、省略して示してある。
また、本実施例の情報提供サーバ２において、サービス識別情報メモリ７０には、ストックサービス、追加情報のストックサービス、ストックされている情報の削除サービス、ストックされている情報の整理サービス、ストックされている情報の送信サービス、ストックされている情報の印刷サービス、及びストックされている情報の記録媒体への記録サービス、の少なくとも一つ又は複数の各々に係るサービス識別情報が記憶されている。
【０１８７】
また、電波受信部５８は、更に、追加要求信号を受信し、要求コマンド処理部２８は、更に、要求分析部７３により特定された追加要求に係る情報を含む要求信号を送信する。
また、本実施例において、情報管理サーバ３の構成は、図３に示したものと同じであるが、要求コマンド処理部３６は、受信した要求信号に含まれる追加要求に係る情報に応じた処理も行う。
【０１８８】
次に、本システムの動作について説明する。
図１３は、本システムの動作に係るフローチャートを示す図である。
同図において、Ｓ１３１乃至１３６とＳ１４２乃至１４５とＳ１５７乃至１５８の処理は端末装置１の動作を示し、Ｓ１３７乃至１４１とＳ１４６乃至１５０の処理は情報提供サーバ２の動作を示し、Ｓ１５１乃至１５６の処理は情報管理サーバ３の動作を示している。
【０１８９】
同図の動作では、利用者が、端末装置１に対し、モード選択操作により所望のモードを選択し、シャッターボタンを押下すると、シャッター５１から情報取得モードＳＷ１２へトリガ信号が入力され、端末装置１では、まず、選択されているモードが情報取得モードであるか否かが判定される（Ｓ１３１）。
【０１９０】
ここで、利用者が撮影モードを選択してシャッターボタンを押下していた場合には、Ｓ１３１の判定結果がＮｏとなり、情報取得ＳＷ１２から撮像部５２へトリガ信号が入力され、撮影処理が行われて（Ｓ１３２）、得られた画像に係る画像データ等がメモリ１９に記憶される（Ｓ１３３）。
【０１９１】
一方、利用者が、情報取得モードを選択し、要求として所望の要求（ストック要求、ストック情報要求、又は出力要求）を選択した後に、当該端末装置１の赤外送信部１７を出展ブースに設けられた情報提供サーバ２の赤外受信部２４へ向け、シャッターボタンを押下していた場合には、Ｓ１３１の判定結果がＹｅｓとなり、情報取得モードＳＷ１２からコマンド生成部１１へトリガ信号が入力され、端末装置１では、Ｓ１３４以降の処理を開始する。
【０１９２】
まず、Ｓ１３４乃至１３６では、図４のＳ１乃至３と同じ処理が行われる。
情報提供サーバ２では、赤外受信部２４が、Ｓ１３６で端末装置１から送信された要求信号を受信すると、処理がＳ１３７とＳ１３９に分岐する。
【０１９３】
Ｓ１３７では、コマンド分析部２５により、要求信号からユーザー情報と要求情報が抽出される。そして、サービスレベル判定部７１により、抽出されたユーザー情報に基づいてサービス提供レベルが判定され、その判定されたサービス提供レベルに応じたサービス識別情報がサービス識別情報メモリ７０から読み出され（Ｓ１３８）、Ｓ１４１へ処理が進む。
【０１９４】
一方、Ｓ１３９では、コマンド分析部２５により、要求信号から端末アドレスが抽出される。そして、サーバアドレスメモリ５７からサーバアドレスが読み出され（Ｓ１４０）、電波送信部２９により、Ｓ１３８で読み出されたサービス識別情報とＳ１４０で読み出されたサーバアドレスとを含む信号がＳ１３９で抽出された端末アドレス宛に電波で送信される（Ｓ１４１）。
【０１９５】
端末装置１では、電波受信部１８が、Ｓ１４１で情報提供サーバ２から送信された信号を受信すると、コマンド分析部６６により、その信号からサービス識別情報が抽出され、そのサービス識別情報の中から、利用者のサービス選択操作に応じてサービス選択部６７により所望のサービスに係るサービス識別情報が選択される（Ｓ１４２）。
【０１９６】
例えば、Ｓ１４２で、所望のサービスに係るサービス識別情報として、追加情報送信要求に係るサービス識別情報が選択されたものとすると、続いて、アドレス抽出部６８により、電波受信部１８が受信した信号からサーバアドレスが抽出され（Ｓ１４３）、利用者の選択操作に応じて、データ選択部５４により、メモリ１９に記憶されている画像に係る画像データ等が、送信する追加情報として選択される（Ｓ１４４）。そして、コマンド生成部５５により、Ｓ１４２で選択されたサービス識別情報と、Ｓ１４４で選択された送信追加情報と、送信先情報６９に記憶されている送信先情報とを含む追加要求信号が生成され、電波送信部５６により、その追加要求信号がＳ１４３で抽出されたサーバアドレス宛に電波で無線送信される（Ｓ１４５）。
【０１９７】
情報提供サーバ２では、電波受信部５８が、Ｓ１４５で端末装置１から送信された追加要求信号を受信すると、コマンド分析部７２により追加要求信号の分析が行われ、追加要求信号からサービス識別情報と必要に応じて画像に係る画像データ等の追加情報や送信先情報とが抽出され、また要求分析部７３により、抽出されたサービス識別情報が分析され追加要求の特定が行われ、また要求分析部２６により、Ｓ１３７で抽出された要求情報が分析される（Ｓ１４６）。
【０１９８】
Ｓ１４６の分析の結果、要求情報がストック要求に係る要求情報である場合には、情報ＤＢ２７から送信する提供情報が読み出され（Ｓ１４７）、Ｓ１４９へ進む。
又は、Ｓ１４６の分析の結果、要求情報がストック情報要求に係る要求情報である場合には、そのままＳ１４９へ進む。
【０１９９】
又は、Ｓ１４６の分析の結果、要求情報が出力要求に係る要求情報である場合には、必要に応じて、コマンド分析部２５により要求信号から送信先情報が抽出され（Ｓ１４８）、Ｓ１４９へ進む。
【０２００】
続くＳ１４９では、要求コマンド処理部２８によって、情報管理サーバ２に対し要求情報に係る要求処理と追加要求に係る要求処理とを依頼する要求信号であって、Ｓ１３７で抽出されたユーザー情報と要求情報と、必要に応じてＳ１４７で読み出された提供情報やＳ１４８で抽出された送信先情報（ストックされている情報の送信先情報）と、Ｓ１４６で特定された追加要求に係る情報と、必要に応じてＳ１４６で抽出された画像に係る画像データ等の追加情報や送信先情報（追加情報の送信先情報）と、を含む要求信号が生成され（Ｓ１４９）、その要求信号が情報管理サーバ２宛に送信される（Ｓ１５０）。
【０２０１】
情報管理サーバ３では、要求コマンド処理部３６が、Ｓ１５０で情報提供サーバ２から送信された要求信号を受信すると、要求コマンド処理部３６により、要求信号の分析が行われ（Ｓ１５１）、要求信号に含まれる要求情報の分析結果に応じて、Ｓ１５２乃至１５５の処理が行われる。尚、Ｓ１５２乃至１５５では、図４のＳ１１乃至１４の処理と同じ処理が行われる。
【０２０２】
また、Ｓ１５１では、要求コマンド処理部３６により要求信号の分析が行われ、要求信号に含まれる追加要求に係る情報の分析結果に応じて、追加要求に応じた処理が行われる。例えば、追加要求が追加情報送信要求であった場合には、要求信号から、追加情報である画像に係る画像データ等の情報や送信先情報（追加情報の送信先情報）が抽出され、その追加情報がその送信先情報に係る送信先宛に送信される。
【０２０３】
このような情報管理サーバ３での処理が終了すると、処理がＳ１５６へ進み、要求コマンド処理部３６により、処理結果を示す処理結果情報と必要に応じてストック情報とを含む信号が情報提供サーバ２宛に送信される。
【０２０４】
情報提供サーバ２では、要求コマンド処理部２８が、Ｓ１５６で情報管理サーバ３から送信された信号を受信すると、その信号から、処理結果情報が要求結果情報として抽出され、また必要に応じてストック情報が抽出され、電波送信部２９により、その要求結果情報と必要に応じてストック情報とを含む信号が、Ｓ１３９で抽出された端末アドレス宛に、電波で無線送信される（Ｓ１４１）。
【０２０５】
端末装置１では、電波受信部１８が、Ｓ１４１で情報提供サーバ２から送信された信号を受信すると、その信号から、要求結果情報と必要に応じてストック情報が取得され、ストック情報はメモリ１９へ記憶され（Ｓ１５７）、要求結果情報は要求結果解析部２０により解析され、その解析結果に応じて、アラーム部２１による音声アラームによる通知が行われる（Ｓ１５８）。
【０２０６】
以上、実施例４によれば、利用者は、所望の要求をした後に、サービス提供レベルに応じて、更に、追加要求を行うことができる。
【実施例５】
【０２０７】
本実施例では、会員登録をした利用者に対してのみ、要求に応じた処理を行うようにしたものである。
本実施例において、情報提供システムの構成は、不図示ではあるが、図１に示したものに加え、更に、端末装置１との間で無線により通信を行い、情報提供サーバ２との間で有線或いは無線により通信を行う会員管理サーバを有している。
【０２０８】
ここでは、まず、利用者が会員登録を行う際に関係する構成及び動作を、図１４及び図１５を用いて説明する。
図１４は、本実施例に係る、端末装置と会員管理サーバの構成を示す機能ブロック図であり、特に、会員登録を行う際に関係する構成を示している。
【０２０９】
同図において、端末装置１は、図２に示した端末装置１の構成に加えて、更に、会員登録モードが選択されているときに利用者の一定の操作に応じてトリガ信号をコマンド生成部１１へ出力する会員登録モードＳＷ７６と、会員識別情報が記憶される会員識別情報メモリ７７とを有している。
【０２１０】
尚、図１４に示した端末装置１は、図２に示した端末装置１の構成を有するものであるが、その一部構成（例えば情報取得モードＳＷ１２や要求選択ＳＷ１６等）については、省略して示してある。
【０２１１】
また、本実施例の端末装置１において、コマンド生成部１１は、更に、会員登録モードＳＷ７６からトリガ信号が入力されたときは、端末アドレスメモリ１３に記憶されている端末アドレスと、送信先情報メモリ１４に記憶されている送信先情報と、ユーザー情報メモリ１５に記憶されているユーザー情報（又は端末情報でも良い）とを含む会員登録要求信号を生成し、赤外送信部１７は、更に、その会員登録要求信号を送信する。
【０２１２】
また、電波受信部１８は、登録結果情報を含む信号を受信すると、その信号から登録結果情報を取得する。
一方、会員管理サーバ７８は、会員登録を受け付け会員情報を管理する装置であり、指向性を有し所定方向からの信号を受信するものであって赤外線により無線送信された会員登録要求信号を受信する赤外受信部７９と、赤外受信部７９が受信した会員登録要求信号から端末アドレスと送信先情報とユーザー情報とを抽出する処理や抽出したユーザー情報と送信先情報とを会員情報として識別するための会員識別情報（認証キー）を生成する処理等の会員登録処理を行う会員登録処理部８０と、会員登録処理部８０により抽出されたユーザー情報と送信先情報とが会員情報として登録（記憶）される会員情報ＤＢ８１と、会員情報ＤＢ８１に記憶されている会員情報に基づいて会員判別処理を行う会員判別処理部８２と、会員登録処理部８０により生成された会員識別情報を会員登録処理部８０により抽出された端末アドレス宛に電波で無線送信する電波送信部８３と、インターネットとの間で情報の入出力処理を行う情報入出力処理部８４と、コントロールプログラムが記憶されているプログラムメモリ８５と、プログラムメモリ８５に記憶されているコントロールプログラムを実行することにより当該会員管理サーバ７８全体の動作を制御するコントローラ（ＣＰＵ）８６等を有している。
【０２１３】
図１５は、本実施例に係る、端末装置１と会員登録サーバ７８との間で行われる会員登録に係る動作のフローチャートを示す図である。
同図において、Ｓ１６１乃至１６３とＳ１７０は端末装置１の動作を示し、Ｓ１６４乃至１６９は会員管理サーバ７８の動作を示している。
【０２１４】
まず、利用者が、端末装置１に対し、モード選択操作を行って会員登録モードを選択した後に、当該端末装置１の赤外送信部１７を所定の場所に設けられている会員管理サーバ７８の赤外受信部７９へ向け、一定の操作を行うと、会員登録モードＳＷ７６からコマンド生成部１１へトリガ信号が入力され、端末装置１では、Ｓ１６１以降の処理を開始する。
【０２１５】
まず、端末アドレスメモリ１３に記憶されている端末アドレスと、ユーザー情報メモリ１５に記憶されているユーザー情報（又は端末情報でも良い）と、送信先情報メモリ１４に記憶されている送信先情報とが読み出され（Ｓ１６１）、コマンド生成部１１により、読み出された端末アドレスとユーザー情報と送信先情報とを含む会員登録要求信号が生成され（Ｓ１６２）、その会員登録要求信号が赤外受信部１７により赤外線送信される（Ｓ１６３）。
【０２１６】
会員管理サーバ７８では、赤外受信部７９が、Ｓ１６３で送信された会員登録要求信号を受信すると、処理がＳ１６４とＳ１６８へ分岐する。
Ｓ１６８では、会員登録処理部８０により、会員登録要求信号から端末アドレスが抽出され、処理がＳ１６９へ進む。
【０２１７】
一方、Ｓ１６４では、会員登録処理部８０により、会員登録要求信号からユーザー情報が抽出され、続いて、会員登録要求信号から送信先情報が抽出され（Ｓ１６５）、Ｓ１６４で抽出されたユーザー情報とＳ１６５で抽出された送信先情報とが会員情報ＤＢ８１に登録（記憶）される（Ｓ１６６）。そして、会員登録処理部８０により、Ｓ１６６で登録された会員情報（Ｓ１６４とＳ１６５で抽出されたユーザー情報と送信先情報）を識別するための会員識別情報が生成され（Ｓ１６７）、処理がＳ１６９へ進む。
【０２１８】
Ｓ１６９では、電波送信部８３により、Ｓ１６７で生成された会員識別情報を含む登録結果信号がＳ１６８で抽出された端末アドレス宛に電波で無線送信される。
端末装置１では、電波受信部１８が、Ｓ１６９で会員管理サーバ７８から送信された登録結果信号を受信すると、電波受信部１８により、その登録結果信号から会員識別情報が取得され、その会員識別情報が会員識別情報メモリ７７に記憶される（Ｓ１７０）。
【０２１９】
以上、本動作によれば、利用者は、会員管理サーバ７８に対し会員登録を行うことができる。
尚、会員登録は、この他、例えば、利用者がインターネットに接続されているＰＣを利用して会員管理サーバ７８にアクセスし、情報入出力処理部８４を介して、会員登録を行うようにすることもできる。但し、この場合には、会員管理サーバ７８から送信された会員識別情報が利用者により端末装置１に入力され会員識別情報メモリ７７に記憶されるか、或いは、そのＰＣに端末装置１を接続し、会員管理サーバ７８から送信された会員識別情報がＰＣを介して会員識別情報メモリ７７に記憶される。
【０２２０】
次に、利用者が、ストック要求等の要求を行う際に関係する構成及び動作について、図１６及び図１７を用いて説明する。
図１６は、本実施例に係る端末装置１と情報提供サーバ２の構成を示す機能ブロック図であり、特に、ストック要求等の要求を行う際に関係する構成を示している。
【０２２１】
同図に示したように、端末装置１は、図１４では特に示さなかったが、図１４に示した端末装置１の構成に加え、更に、要求結果解析部２０による解析結果等を表示する表示部８６を有している。
【０２２２】
一方、情報提供サーバ２は、図２に示した情報提供サーバ２の構成に加えて、更に、コマンド分析部２５により要求信号から抽出された会員識別情報を会員管理サーバ７８へ送信し、それに応じて会員管理サーバ７８から送信された会員判別結果情報に応じて、正規の会員であるか否かを判別する会員判別処理部８７と、要求コマンド処理部２８の指示に応じて、会員管理サーバ７８から、特定の会員識別情報に応じた会員情報の送信先情報を取得する送信先情報取得処理部８８とを有している。
【０２２３】
図１７は、本実施例に係る、端末装置１と情報提供サーバ２と情報管理サーバ３との間で行われる、要求に応じて処理を行う動作に係るフローチャートを示す図である。
同図において、Ｓ１７６乃至１７８とＳ１９５乃至１９６の処理は端末装置１の動作を示し、Ｓ１７９乃至１８６とＳ１９３乃至１９４の処理は情報提供サーバ２の動作を示し、Ｓ１８７乃至１９２の処理は情報管理サーバ３の動作を示している。
【０２２４】
まず、利用者が、端末装置１に対し、要求選択操作を行って所望の要求（ストック要求、ストック情報要求、又は出力要求）を選択した後に、当該端末装置１の赤外送信部１７を出展ブースに設けられた情報提供サーバ２の赤外受信部２４へ向け、一定の操作を行うと、情報取得モードＳＷ１２からコマンド生成部１１へトリガ信号が入力され、端末装置１では、Ｓ１７６以降の処理を開始する。
【０２２５】
まず、端末アドレスメモリ１３に記憶されている端末アドレスと、会員識別情報メモリ１１に記憶されている会員識別情報と、ユーザー情報メモリ１５に記憶されているユーザー情報（又は端末情報でも良い）とが読み出され（Ｓ１７６）、その読み出された端末アドレスと会員識別情報とユーザー情報と、利用者の要求選択操作によって要求選択ＳＷ１６により選択されている要求に係る要求情報とを含む要求信号が生成され（Ｓ１７７）、その要求信号が赤外受信部１７により赤外線送信される（Ｓ１７８）。
【０２２６】
尚、送信先情報は、既に、会員管理サーバ７８に登録されており、会員識別情報を基に会員管理サーバ７８から取得することができるので、Ｓ１７７で生成される要求信号には含まれない。
【０２２７】
情報提供サーバ２では、赤外受信部２４が、Ｓ１７８で端末装置１から送信された要求信号を受信すると、処理がＳ１７９とＳ１９３へ分岐する。
Ｓ１９３では、コマンド分析部２５により、要求信号から端末アドレスが抽出され、処理がＳ１９４へ進む。
【０２２８】
一方、Ｓ１７９では、コマンド分析部２５により、要求信号から会員識別情報が抽出され、その会員識別情報を用いて会員管理サーバ７８に対し会員であるか否かの問い合わせを行いサービス提供を行うか否かの判別が行われる（Ｓ１８０）。
【０２２９】
すなわち、Ｓ１８０では、まず、会員判別処理部８７により、コマンド分析部２５により抽出された会員識別情報を含む信号が会員管理サーバ宛に送信される。会員管理サーバ７８では、会員判別処理部８２が会員識別情報を含む信号を受信すると、会員判別処理部８２により会員情報ＤＢ８１が参照され、受信した信号に含まれる会員識別情報に係る会員情報（ユーザー情報と送信先情報）の有無が判定される。ここで、その会員識別情報に係る会員情報が会員情報ＤＢ８１に登録されていた場合には、正規の会員であると判別され、正規の会員である旨の会員判別情報を含む信号が情報提供サーバ２宛に送信される。一方、その会員識別情報に係る会員情報が会員情報ＤＢ８１に登録されていない場合には、正規の会員ではないと判別され、正規の会員ではない旨の会員判別情報を含む信号が情報提供サーバ２宛に送信される。情報提供サーバ２では、会員判別処理部８７が会員判別情報を含む信号を受信すると、その信号から会員判別情報が抽出され、抽出された会員判別情報の内容が正規の会員である旨の情報であった場合には処理がＳ１８１へ進み、正規の会員ではない旨の情報であった場合には処理がＳ１９４へ進む。
【０２３０】
例えば、Ｓ１８０において、会員判別情報の内容が正規の会員ではない旨の情報であった場合には、Ｓ１９４へ進み、電波送信部２９により、その正規に会員ではない旨の情報である要求結果情報を含む信号が、Ｓ１９３で抽出された端末アドレス宛に電波で無線送信される。そして、端末装置１では、電波受信部１８が、Ｓ１９４で情報提供サーバ２から送信された信号を受信すると、その信号から、要求結果情報が取得され、要求結果解析部２０により解析され、その解析結果に応じて、アラーム部２１による音声アラームによる通知と共に、その解析結果の情報が表示部８６に表示される（Ｓ１９）。これにより、正規の会員ではない旨が、アラーム部２１による音声アラームにより通知される共に、正規の会員ではない旨の情報が表示部８６に表示される。
【０２３１】
一方、Ｓ１８０において、会員判別情報の内容が正規の会員である旨の情報であった場合には、Ｓ１８１へ進み、コマンド分析部２５により要求信号からユーザー情報と要求情報が抽出され、要求分析部２６により要求情報が分析される（Ｓ１８２）。
【０２３２】
Ｓ１８２の分析の結果、要求情報がストック要求に係る要求情報である場合には、情報ＤＢ２７から送信する提供情報が読み出され（Ｓ１８３）、Ｓ１８５へ進む。
又は、Ｓ１８２の分析の結果、要求情報がストック情報要求に係る要求情報である場合には、そのままＳ１８５へ進む。
【０２３３】
又は、Ｓ１８２の分析の結果、要求情報が出力要求に係る要求情報である場合には、必要に応じて、送信先情報取得管理部８８により、Ｓ１７９で抽出された会員識別情報を用いて、会員管理サーバ７８から、対応する会員情報の送信先情報が取得される（Ｓ１８４）。
【０２３４】
すなわち、Ｓ１８４では、送信先情報取得管理部８８により、Ｓ１７９で抽出された会員識別情報を含む送信先情報要求信号が会員管理サーバ７８宛に送信される。会員管理サーバ７８では、会員判別処理部８２が送信先情報要求信号を受信すると、送信先情報要求信号から会員識別情報が抽出され、会員情報ＤＢ８１から、会員識別情報に応じた会員情報の送信先情報が読み出され、その送信先情報を含む信号が情報提供サーバ２へ送信される。情報提供サーバ２では、送信先情報取得処理部８８がその信号を受信すると、その信号から送信先情報が取得される。そして、処理がＳ１８５へ進む。
【０２３５】
続くＳ１８５では、要求コマンド処理部２８によって、情報管理サーバ２に対し要求情報に係る要求処理を依頼する要求信号であって、Ｓ１８１で抽出されたユーザー情報と要求情報と、必要に応じてＳ１８３で読み出された提供情報やＳ１８４で取得された送信先情報とを含む要求信号が生成され、その要求信号が情報管理サーバ２宛に送信される（Ｓ１８６）。
【０２３６】
情報管理サーバ３では、要求コマンド処理部３６が、Ｓ１８６で情報提供サーバ２から送信された要求信号を受信すると、要求コマンド処理部３６により要求信号の分析が行われ（Ｓ１８７）、その分析結果に応じて、Ｓ１８８乃至１９１の処理が行われる。尚、Ｓ１８８乃至１９１では、図４のＳ１１乃至１４の処理と同様の処理が行われる。そして、要求コマンド処理部３６により、処理結果を示す処理結果情報と必要に応じてストック情報とを含む信号が情報提供サーバ２宛に送信される（Ｓ１９２）。
【０２３７】
情報提供サーバ２では、要求コマンド処理部２８が、Ｓ１９２で情報管理サーバ３から送信された信号を受信すると、その信号から、処理結果情報が要求結果情報として抽出され、また必要に応じてストック情報が抽出され、電波送信部２９により、その要求結果情報と必要に応じてストック情報とを含む信号が、Ｓ１９３で抽出された端末アドレス宛に、電波で送信される（Ｓ１９４）。
【０２３８】
端末装置１では、電波受信部１８が、Ｓ１９４で情報提供サーバ２から送信された信号を受信すると、その信号から、要求結果情報と必要に応じてストック情報が取得され、ストック情報はメモリ１９へ記憶され（Ｓ１９５）、要求結果情報は要求結果解析部２０により解析され、その解析結果に応じて、アラーム部２１による音声アラームによる通知と共に、その解析結果に係る情報が表示部８６に表示される（Ｓ１９６）。
【０２３９】
以上、実施例５によれば、会員登録を行った利用者に対してのみ、要求に応じた処理を行うようにすることができる。
【実施例６】
【０２４０】
本実施例では、会員登録をした利用者に対してのみ、要求に応じた処理を行い、更に、その処理に応じて課金処理を行うようにするものである。
本実施例において、情報提供システムの構成は実施例５と同様であるが、端末装置と情報提供サーバ２の構成は図１６に示したものと一部異なり、また情報管理サーバ３の構成も図３に示したものと一部異なる。そこで、ここでは、本システムの構成として、端末装置１と情報提供サーバ２の構成及び情報管理サーバ３の構成のみを説明することにする。
【０２４１】
図１８は、本実施例に係る、端末装置１と情報提供サーバ２の構成を示す機能ブロック図である。
同図において、端末装置１は、図１６に示した端末装置１の構成に加えて、更に、決済方法や決済を行うためのクレジットカード番号や個人情報等の決済用情報が記憶される決済用情報メモリ９１を有している。
【０２４２】
一方、情報提供サーバ２は、図１６に示した情報提供サーバ２の構成に加えて、更に、会員識別情報と料金情報と決済方法の情報とを、決済結果情報として会員管理サーバ７８へ送信する決済情報通知処理部９２を有している。
【０２４３】
図１９は、本実施例に係る、情報管理サーバ３の構成を示す機能ブロック図である。
同図において、情報管理サーバ３は、図３に示した情報管理サーバ３の構成に加えて、更に、出力形態に応じた決済処理を行う決済処理部９３を有している。
【０２４４】
次に、本システムの動作について説明する。
本実施例では、本システムの動作として、利用者が出力要求をしたときに行われる動作を説明する。
【０２４５】
尚、ここでは、利用者は既に実施例５で説明したようにして会員管理サーバ７８に対し会員登録を行い、端末装置１の会員識別情報メモリ７７には会員識別情報が記憶されているものとする。
【０２４６】
図２０は、利用者が出力要求をしたときの動作に係るフローチャートを示す図である。
同図において、Ｓ２０１乃至２０４とＳ２２０乃至２２１の処理は端末装置１の動作を示し、Ｓ２０５乃至２０９とＳ２１８乃至２１９の処理は情報提供サーバ２の動作を示し、Ｓ２１０乃至２１７の処理は情報管理サーバ３の動作を示している。
【０２４７】
まず、利用者が、端末装置１に対し、要求選択操作を行って出力要求を選択した後に、当該端末装置１の赤外送信部１７を出展ブースに設けられた情報提供サーバ２の赤外受信部２４へ向け、一定の操作を行うと、情報取得モードＳＷ１２からコマンド生成部１１へトリガ信号が入力され、端末装置１では、Ｓ２０１以降の処理を開始する。
【０２４８】
まず、端末アドレスメモリ１３に記憶されている端末アドレスと、会員識別情報メモリ１１に記憶されている会員識別情報と、ユーザー情報メモリ１５に記憶されているユーザー情報（又は端末情報でも良い）と、決済用情報メモリ９１に記憶されている決済用情報が読み出される（Ｓ２０１）。続いて、利用者の選択操作により、メモリ１９に記憶されているストック情報を基に出力対象とする提供情報の選択が行われる（Ｓ２０２）。続いて、Ｓ２０１で読み出された端末アドレスと会員識別情報とユーザー情報と決済用情報と、利用者の要求選択操作によって要求選択ＳＷ１６により選択されている要求に係る要求情報とを含む要求信号が生成され（Ｓ２０３）、その要求信号が赤外線により赤外受信部１７により送信される（Ｓ２０４）。尚、要求信号に含まれる、出力要求に係る要求情報には、Ｓ２０２で選択された出力対象とする提供情報を特定するための選択情報も含まれている。
【０２４９】
情報提供サーバ２では、赤外受信部２４が、Ｓ２０４で端末装置１から送信された要求信号を受信すると、処理がＳ２０５とＳ２１８へ分岐する。
Ｓ２１８では、コマンド分析部２５により、要求信号から端末アドレスが抽出され、処理がＳ２１９へ進む。
【０２５０】
一方、Ｓ２０５と続くＳ２０６では、図１７のＳ１７９及びＳ１８０と同じ処理が行われる。
例えば、Ｓ２０６において、会員判別情報の内容が正規の会員ではない旨の情報であった場合には、処理がＳ２１９へ進み、電波送信部２９により、正規の会員でない旨の情報である要求結果情報を含む信号が、Ｓ２１８で抽出された端末アドレス宛に電波で無線送信される。そして、端末装置１では、電波受信部１８が、Ｓ２１９で情報提供サーバ２から送信された信号を受信すると、その信号から、要求結果情報が取得され、要求結果解析部２０により解析され、その解析結果に応じて、アラーム部２１による音声アラームによる通知と共に、その解析結果の情報が表示部８６に表示される（Ｓ２２１）。これにより、正規の会員ではない旨が、アラーム部２１による音声アラームにより通知される共に、正規の会員ではない旨の情報が表示部８６に表示される。
【０２５１】
一方、Ｓ２０６において、会員判別情報の内容が正規の会員である旨の情報であった場合には、処理がＳ２０７へ進み、コマンド分析部２５により要求信号からユーザー情報と要求情報が抽出され、要求情報が出力要求に係る要求情報であることに応じて、まず、コマンド分析部２５により要求信号から決済用情報が抽出され、更に、必要に応じて、Ｓ２０５で抽出された会員識別情報を用いて、会員管理サーバ７８から、対応する会員情報の送信先情報が取得される（Ｓ２０７）。ここで、送信先情報の取得は、図１７のＳ１８４の処理と同じようにして取得される。
【０２５２】
尚、本実施例では、決済用情報を端末装置１から取得するようにしているが、例えば、予め、利用者が会員登録を行う際に、ユーザー情報と送信先情報と共に、決済用情報をも会員管理サーバ７８に登録するようにしておけば、Ｓ２０７において、送信先情報と共に決済用情報を取得するようにすることも可能である。
【０２５３】
続くＳ２０８では、要求コマンド処理部２８によって、情報管理サーバ２に対し出力要求の要求情報に係る要求処理を依頼する要求信号であって、Ｓ２０７で抽出されたユーザー情報と要求情報と取得された決済用情報と、必要に応じてＳ２０７で取得された送信先情報とを含む要求信号が生成され（Ｓ２０８）、その要求信号が情報管理サーバ２宛に送信される（Ｓ２０９）。
【０２５４】
情報管理サーバ３では、要求コマンド処理部３６が、Ｓ２０９で情報提供サーバ２から送信された要求信号を受信すると、要求信号に含まれる要求情報が出力要求に係る要求情報であることに応じて、Ｓ２１０乃至２１５の処理が行われる。尚、Ｓ２１０乃至２１５では、図７のＳ６４乃至６９と同じ処理が行われる。
【０２５５】
続いて、Ｓ２１３、Ｓ２１４、又はＳ２１５の処理に応じて、出力決済処理部９３により、要求信号に含まれる決済用情報を用いて、決済処理が行われる（Ｓ２１６）。そして、要求コマンド処理部３６により、出力結果情報と料金や決済方法に関する情報である決済結果情報とを含む信号が情報提供サーバ２に送信される（Ｓ２１７）。
【０２５６】
情報提供サーバ２では、要求コマンド処理部２８が、Ｓ２１７で情報管理サーバ３から送信された信号を受信すると、その信号から、出力結果情報が要求結果情報として抽出されると共に決済結果情報が抽出され、電波送信部２９により、その要求結果情報と決済結果情報とを含む信号が、Ｓ２１８で抽出された端末アドレス宛に、電波で送信される（Ｓ２１９）。
【０２５７】
また、Ｓ２１９では、それと共に、決済情報通知処理部９２により、抽出された決済結果情報に、Ｓ２０５で抽出された会員識別情報が含められ、その決済結果情報を含む信号が、会員管理サーバ７８宛に送信される。これを受信した会員管理サーバ７８では、その信号から決済結果情報が抽出され、決済結果情報に含まれている会員識別情報に対応する、会員情報ＤＢ９１に記憶されている会員情報に、決済結果情報の料金や決済方法に関する情報が関連付けされて記憶される。
【０２５８】
一方、端末装置１では、電波受信部１８が、Ｓ２１９で情報提供サーバ２から送信された信号を受信すると、その信号から、要求結果情報と決済結果情報が取得され、決済結果情報はメモリ１９へ記憶され（Ｓ２２０）、要求結果情報は要求結果解析部２０により解析され、その解析結果に応じて、アラーム部２１による音声アラームによる通知と共に、その解析結果に係る情報が表示部８６に表示される（Ｓ２２１）。
【０２５９】
以上、実施例６によれば、主催者等は、利用者が要求したサービスに応じて料金を徴収することができる。
以上、実施例１乃至６について述べたが、各実施例の情報提供システムにおいて、更に、他の実施例の情報提供システムの構成の一部を有するように構成することも可能である。
【０２６０】
以上、本発明について詳細に説明したが、本発明は上記実施形態に限定されず、本発明の要旨を逸脱しない範囲において、各種の改良及び変更を行っても良いのはもちろんである。
【図面の簡単な説明】
【０２６１】
【図１】実施例１に係る情報提供システムの構成を示す図である。
【図２】実施例１に係る、端末装置と情報提供サーバの構成を示す機能ブロック図である。
【図３】実施例１に係る、情報管理サーバの構成を示す機能ブロック図である。
【図４】実施例１に係る情報提供システムの動作に係るフローチャートを示す図である。
【図５】実施例１に係る情報提供システムの動作において、利用者がストック要求をしたときに行われる動作に係るフローチャートを示す図である。
【図６】実施例１に係る情報提供システムの動作において、利用者がストック情報要求をしたときに行われる動作に係るフローチャートを示す図である。
【図７】実施例１に係る情報提供システムの動作において、利用者が出力要求をしたときに行われる動作に係るフローチャートを示す図である。
【図８】実施例２に係る、端末装置と情報提供サーバの構成を示す機能ブロック図である。
【図９】実施例２に係る情報提供システムの動作として、利用者が出力要求をしたときに行われる動作に係るフローチャートを示す図である。
【図１０】実施例３に係る、端末装置と情報提供サーバの構成を示す機能ブロック図である。
【図１１】実施例３に係る情報提供システムの動作に係るフローチャートを示す図である。
【図１２】実施例４に係る、端末装置と情報提供サーバの構成を示す機能ブロック図である。
【図１３】実施例４に係る情報提供システムの動作に係るフローチャートを示す図である。
【図１４】実施例５に係る、会員登録を行う際に関係する、端末装置と会員管理サーバの構成を示す機能ブロック図である。
【図１５】実施例５に係る、端末装置と会員登録サーバとの間で行われる会員登録に係る動作のフローチャートを示す図である。
【図１６】実施例５に係る、ストック要求等の要求を行う際に関係する、端末装置と情報提供サーバの構成を示す機能ブロック図である。
【図１７】実施例５に係る、端末装置と情報提供サーバと情報管理サーバとの間で行われる、要求に応じて処理を行う動作に係るフローチャートを示す図である。
【図１８】実施例６に係る、端末装置と情報提供サーバの構成を示す機能ブロック図である。
【図１９】実施例６に係る、情報管理サーバの構成を示す機能ブロック図である。
【図２０】実施例６に係る、利用者が出力要求をしたときの動作に係るフローチャートを示す図である。
【符号の説明】
【０２６２】
１      情報端末装置
２      情報提供サーバ
３      情報管理サーバ
１１    コマンド生成部
１２    情報取得モードＳＷ
１３    端末アドレスメモリ
１４    送信先情報メモリ
１５    ユーザー情報メモリ
１６    要求選択ＳＷ
１７    赤外送信部
１８    電波受信部
１９    メモリ
２０    要求結果解析部
２１    アラーム部
２２    コントローラ（ＣＰＵ）
２３    プログラムメモリ
２４    赤外受信部
２５    コマンド分析部
２６    要求分析部
２７    情報ＤＢ
２８    要求コマンド処理部
２９    電波送信部
３０    プログラムメモリ
３１    コントローラ（ＣＰＵ）
３６    要求コマンド処理部
３７    出力サービス情報メモリ
３８    ストック情報ＤＢ
３９    ストックリスト生成部
４０    出力情報分析部
４１    インターネット経由での情報送信部
４２    情報出力方法判別部
４３    印刷処理部
４４    指定メディアへの自動書込み部
４５    プログラムメモリ
４６    コントローラ（ＣＰＵ）
５１    シャッター
５２    表示部
５３    表示部
５４    データ選択部
５５    コマンド生成部
５６    電波送信部
５７    サーバアドレスメモリ
５８    電波受信部
６１    サービス対応情報メモリ
６２    表示部
６３    サービス対応情報メモリ
６４    サービス対応判別部
６６    コマンド分析部
６７    サービス選択部
６８    アドレス抽出部
６９    送信先情報メモリ
７０    サービス識別情報メモリ
７１    サービスレベル判定部
７２    コマンド分析部
７３    要求分析部
７６    会員登録モードＳＷ
７７    会員識別情報メモリ
７８    会員管理サーバ
７９    赤外受信部
８０    会員登録処理部
８１    会員情報ＤＢ
８２    会員判別処理部
８３    電波送信部
８６    表示部
９１    決済用情報メモリ
９２    決済情報通知処理部
９３    決済処理部
【図２】
2006099593.tif 000003
【図４】
2006099593.tif 000004
【図５】
2006099593.tif 000005
【図６】
2006099593.tif 000006
【図７】
2006099593.tif 000007
【図８】
2006099593.tif 000008
【図９】
2006099593.tif 000009
【図１０】
2006099593.tif 000010
【図１１】
2006099593.tif 000011
【図１２】
2006099593.tif 000012
【図１３】
2006099593.tif 000013
【図１４】
2006099593.tif 000014
【図１５】
2006099593.tif 000015
【図１７】
2006099593.tif 000016
【図２０】
2006099593.tif 000017
【図１】
2006099593.tif 000018
【図３】
2006099593.tif 000019
【図１６】
2006099593.tif 000020
【図１８】
2006099593.tif 000021
【図１９】
2006099593.tif 000022